(57)【特許請求の範囲】
【請求項１】
被検眼の撮影対象部分に合焦するためスプリット視標を投影するスプリット光学系と、被検眼に対して装置本体を位置合わせするためアライメント視標を投影するアライメント系と、前記被検眼の撮影対象像を前記スプリット視標および前記アライメント視標と共に表示する観察モニタを含む観察光学系と、前記被検眼の撮影対象像を撮影するカメラを含む撮影光学系と、を備えた眼科撮影装置において、
前記観察光学系から得られるスプリット視標に基づき自動的な合焦を実現するオートフォーカス機能と、前記観察光学系から得られるスプリット視標の状態が小瞳孔と判定された場合に自動的に絞りを挿入するオート小瞳孔切換え機能と、合焦とアライメント位置合わせの最終確認結果が適正範囲内になると自動フラッシュ撮影動作を実行するオートシュート機能と、を有する自動撮影制御手段を設け、
前記自動撮影制御手段が持つ自動動作機能として、オートフォーカス機能とオート小瞳孔切換え機能とオートシュート機能に分け、分けられた自動動作機能の全部を有効とする全部有効選択モードと、分けられた自動動作機能の全部を無効とする全部無効選択モードと、分けられた自動動作機能のうち、一部の自動動作機能を有効にし、残りの自動動作機能を無効とする一部有効選択モードと、を有する自動動作機能選択手段を設けた
ことを特徴とする眼科撮影装置。
【請求項２】
請求項１に記載された眼科撮影装置において、
前記自動動作機能選択手段は、前記自動撮影制御手段が持つオートフォーカス機能とオート小瞳孔切換え機能とオートシュート機能のそれぞれの自動動作機能について、有効とするか無効とするかの選択をマニュアル操作にて行う
ことを特徴とする眼科撮影装置。
【請求項３】
請求項１または請求項２に記載された眼科撮影装置において、
前記自動動作機能選択手段は、前記自動撮影制御手段が持つオートフォーカス機能とオート小瞳孔切換え機能とオートシュート機能のそれぞれの自動動作機能について、予め無効にしておくべき無効条件が成立するか否かを判断し、無効条件が成立する自動動作機能を自動的に無効とする選択を行う
ことを特徴とする眼科撮影装置。
【請求項４】
請求項３に記載された眼科撮影装置において、
前記自動動作機能選択手段は、被検眼の視度が屈折異常である屈折異常条件、前記観察光学系によりスプリット視標が全く検出されないスプリット無し条件、スプリット視標を退避させたスプリット退避条件、外部固視標を使用する外部固視標使用条件、オートフォーカス機能が正常に動作しないオートフォーカス不能条件、の何れか一つの条件が成立したとき、オートフォーカス機能とオート小瞳孔切換え機能とオートシュート機能を全て無効とする選択を行う
ことを特徴とする眼科撮影装置。
【請求項５】
請求項３または請求項４に記載された眼科撮影装置において、
スイッチ操作により小瞳孔絞りを挿入する小瞳孔スイッチを設け、
前記自動動作機能選択手段は、前記小瞳孔スイッチに対して小瞳孔絞りまたは通常絞りを挿入するスイッチ操作が行われた場合、小瞳孔スイッチ操作を自動動作機能の選択に優先し、オート小瞳孔切換え機能のみを無効とする選択を行う
ことを特徴とする眼科撮影装置。
【請求項６】
請求項３乃至請求項５の何れか１項に記載された眼科撮影装置において、
スイッチ操作によりオートシュート機能のオン／オフを選択するオートON/OFFスイッチを設け、
前記自動動作機能選択手段は、前記オートON/OFFスイッチに対する奇数回のスイッチ操作時、オートフォーカス機能とオート小瞳孔切換え機能を有効としたままでオートシュート機能のみを無効とする選択を行い、前記オートON/OFFスイッチに対する偶数回のスイッチ操作時、オートフォーカス機能とオート小瞳孔切換え機能とオートシュート機能を有効とする選択を行う
ことを特徴とする眼科撮影装置。
【発明の詳細な説明】
【技術分野】
【０００１】
本発明は、眼底カメラ等のように、スプリット光学系、アライメント系、観察光学系、撮影光学系を備えた眼科撮影装置に関する。
【背景技術】
【０００２】
眼底カメラにおいて撮影を行う場合、調整ノブを回して焦点を調整し、二つに分離しているアライメント輝点を中心で合致させた後、撮影ボタンを押して撮影を行う。また、瞳孔が小さい被検者には、小瞳孔絞りを入れる場合がある。
【０００３】
しかし、検者としては、眼底カメラに不慣れな者や、片手で被検者の瞼を押さえ、もう一方の手のみで操作する者等が存在し、これらの検者にとって、手動によるカメラ操作は困難であった。
【０００４】
これに対し、検者の合焦操作負担を軽減すると共に、アライメント調整操作負担を軽減するために、オートアライメントとオートフォーカスを組み合わせた自動撮影モードを持った眼底カメラが知られている（例えば、特許文献１参照）。
【特許文献１】特開２００５−１６０５４９号公報
【発明の開示】
【発明が解決しようとする課題】
【０００５】
しかしながら、従来の眼底カメラにあっては、スイッチ操作により撮影可能条件が充足したら自動的に撮影が実行される自動撮影モードと、検者が撮影スイッチを押して撮影を実行する手動撮影モードが選択できるようにしている。また、自動撮影モードでは、アライメント条件とフォーカス条件と視線／瞳孔径条件が共に成立しなければ自動フラッシュ撮影を行えない。
【０００６】
したがって、従来の眼底カメラでは、選択自由度として、自動撮影モードと手動撮影モードのいずれかを選択できるだけで、手動フォーカスモードと自動フォーカスモードを選択するスイッチが設けられていないため、検者が手動操作により合焦することを希望する場合であっても、手動操作による合焦を選択する自由度が無い、という問題があった。
【０００７】
また、従来の眼底カメラでは、小瞳孔と判定された場合に自動的に絞りを挿入するオート小瞳孔切換え機能を持たない。このため、オート小瞳孔切換え機能を有効にするか無効にするかの選択を行うことができない。加えて、自動撮影モードをスイッチ操作により選択すると、自動撮影モードが維持されるため、被検眼が小瞳孔である場合には、いくら待っても自動フラッシュ撮影を行えない、という問題があった。
【０００８】
本発明は、上記問題に着目してなされたもので、自動撮影モードに含まれる複数の自動動作機能のうち、検者の熟練度等に応じて一部の機能のみを無効とする選択自由度を持たせることで、検者にとっては使い勝手を向上することができ、被検者にとっては観察／撮影負担を軽減することができる眼科撮影装置を提供することを目的とする。
【課題を解決するための手段】
【０００９】
上記目的を達成するため、本発明では、被検眼の撮影対象部分に合焦するためスプリット視標を投影するスプリット光学系と、被検眼に対して装置本体を位置合わせするためアライメント視標を投影するアライメント系と、前記被検眼の撮影対象像を前記スプリット視標および前記アライメント視標と共に表示する観察モニタを含む観察光学系と、前記被検眼の撮影対象像を撮影するカメラを含む撮影光学系と、を備えた眼科撮影装置において、
前記観察光学系から得られるスプリット視標に基づき自動的な合焦を実現するオートフォーカス機能と、前記観察光学系から得られるスプリット視標の状態が小瞳孔と判定された場合に自動的に絞りを挿入するオート小瞳孔切換え機能と、合焦とアライメント位置合わせの最終確認結果が適正範囲内になると自動フラッシュ撮影動作を実行するオートシュート機能と、を有する自動撮影制御手段を設け、
前記自動撮影制御手段が持つ自動動作機能として、オートフォーカス機能とオート小瞳孔切換え機能とオートシュート機能に分け、分けられた自動動作機能の全部を有効とする全部有効選択モードと、分けられた自動動作機能の全部を無効とする全部無効選択モードと、分けられた自動動作機能のうち、一部の自動動作機能を有効にし、残りの自動動作機能を無効とする一部有効選択モードと、を有する自動動作機能選択手段を設けたことを特徴とする。
【発明の効果】
【００１０】
よって、本発明の眼科撮影装置にあっては、自動撮影制御手段が自動動作機能として、少なくともオートフォーカス機能とオート小瞳孔切換え機能とオートシュート機能に分けられている。そして、自動動作機能選択手段が全部有効選択モードのとき、分けられた自動動作機能の全部が有効とされる。また、自動動作機能選択手段が全部無効選択モードのとき、分けられた自動動作機能の全部が無効とされる。さらに、自動動作機能選択手段が一部有効選択モードのとき、一部の自動動作機能が有効とされ、残りの自動動作機能が無効とされる。
このように、自動撮影制御手段が持つ自動動作機能を、オートフォーカス機能とオート小瞳孔切換え機能とオートシュート機能に分け、これらの自動動作機能の全部有効・全部無効の選択に加え、一部を有効とし、残りを無効とする選択自由度が持たせられる。
したがって、合焦操作を自分で行いたい検者は、オートフォーカス機能のみを無効にすることができる。また、通常絞り／小瞳孔絞りを検者が選択したい場合はオート小瞳孔切換え機能のみを無効にすることができる。さらに、自分の撮影タイミングで撮影したい場合はオートシュート機能のみを無効にすることができる。このように、検者の熟練度等に応じて一部の機能のみを無効とする選択自由度を持たせることで、検者にとっては使い勝手が向上する。
そして、選択自由度により撮影時間を短時間として迅速化できる。加えて、これらの自動動作機能のうち、いくら待っても自動動作機能が完了しないような条件下では、予め一部あるいは全部の動作機能を無効にすることで、撮影の迅速化ができる。このように、撮影の迅速化により、被検者は、顔を顎受けに固定し固視標を見つめたままの状態を長時間強いられることが無く、被検者にとって観察／撮影負担の軽減となる。
この結果、自動撮影モードに含まれる複数の自動動作機能のうち、検者の熟練度等に応じて一部の機能のみを無効とする選択自由度を持たせることで、検者にとっては使い勝手を向上することができ、被検者にとっては観察／撮影負担を軽減することができる。
【発明を実施するための最良の形態】
【００１１】
以下、本発明の眼科撮影装置を実現する最良の形態を、図面に示す実施例１に基づいて説明する。
【実施例１】
【００１２】
まず、構成を説明する。
図１は、実施例１の無散瞳眼底カメラ（眼科撮影装置の一例）を示す全体システム図である。ここで、「無散瞳眼底カメラ」とは、眼底カメラの中で、散瞳薬を使わないで、暗室である程度散瞳させた後、眼底観察やフラッシュを当てて眼底写真をとる眼底カメラをいう。この無散瞳眼底カメラの長所は、検査後の視力的不自由が無く、簡便さから眼科のみならず内科や健康診断でも使われる。欠点は、散瞳が不十分であるため網膜の中央部分しか撮影できない。このため、糖尿病性網膜症等による小瞳孔の場合への対応性が要求される。
【００１３】
実施例１の無散瞳眼底カメラは、図１に示すように、装置ベース１と、架台部２と、装置本体３と、顎受け４と、外部固視標５と、撮影用CCDカメラ６（カメラ）と、マウス/10キーボード７と、プリンタ８と、パーソナルコンピュータ９と、を備えている。
【００１４】
前記装置ベース１は、図外の装置テーブルに水平に設置され、電源プラグや複数の接続端子が設けられている。この装置ベース１は、電源部・顎受けＰＣＢ・中継ＰＣＢ等を内蔵する。なお、「ＰＣＢ」とは、Printed Circuit Boardの略であり、ＩＣ等によるプリント基板のことをいう。
【００１５】
前記架台部２は、前記装置ベース１に対し左右方向・前後方向・上下方向に移動可能に設けられている。この架台部２の検者側の位置には、操作パネル２ａ、ジョイスティック２ｂ、撮影スイッチ２ｃ等が設けられる。
【００１６】
前記装置本体３は、前記架台部２の上部に一体的に設けられたもので、装置本体３の側部位置には、合焦ハンドル３ａが設けられている。また、この装置本体３の検者側位置には、観察LCDユニット３１（図５参照）の構成要素である観察モニタ３ｂ（例えば、6.5型カラー液晶モニタ）が設けられている。なお、「ＬＣＤ」とは、Liquid Crystal Displayの略であり、液晶ディスプレイのことをいう。
【００１７】
前記顎受け４は、前記装置ベース１に対し上下方向の位置が調整可能に設けられたもので、被検者の顎と額を受けて被検眼の位置を固定させる。この顎受け４には、被検者の視線を固定するための外部固視標５が設けられている。
【００１８】
前記撮影用CCDカメラ６は、前記装置本体３の上部位置に外付けにて設定されたもので、実施例１の無散瞳眼底カメラが持つオートシュート機能により、眼底のフラッシュ撮影を行う。この撮影用CCDカメラ６としては、市販のＡＰＳサイズのデジタルカメラが用いられる。また、撮影用CCDカメラ６は、装置ベース１に内蔵した電源部から電源供給を受ける。
【００１９】
前記マウス/10キーボード７と前記プリンタ８と前記パーソナルコンピュータ９は、前記装置ベース１の複数の接続端子にケーブルを介して接続される。また、前記パーソナルコンピュータ９には、大型画面にて眼底観察を行うことができるＰＣ用モニタ９ａが接続されている。
【００２０】
図２は、実施例１の無散瞳眼底カメラにおける架台部に設定された操作パネルを示す平面図である。以下、操作パネル２ａに設定された各スイッチ類について説明する。
【００２１】
実施例１の無散瞳眼底カメラにおける架台部２に設定された操作パネル２ａは、図２に示すように、ジョイスティック２ｂと、撮影スイッチ２ｃと、メニュースイッチ201と、スプリットスイッチ202と、撮影光量補正スイッチ203と、観察光量補正スイッチ204と、顎受け上下動スイッチ205と、ＩＤ入力スイッチ206と、画像削除スイッチ207と、画像再生スイッチ208と、小瞳孔スイッチ209と、固視切換えスイッチ210,211,212と、オートON/OFFスイッチ213と、変倍スイッチ214と、を備えている。
【００２２】
前記ジョイスティック２ｂは、手動によるアライメント操作時、装置ベース１に対し架台部２および装置本体３を左右方向（Ｘ方向）・上下方向（Ｙ方向）・前後方向（Ｚ方向）に移動させる操作手段である。左右方向と前後方向は、ジョイスティック２ｂを把持し、移動させたい左右方向や前後方向に傾けることで移動する。このとき、架台前後検知スイッチ215と架台左右検知スイッチ216が入る（図５参照）。また、ジョイスティック２ｂの上部の操作リングを右方向に回転させることで上方向に移動し、左方向に回転させることで下方向に移動する。
【００２３】
前記撮影スイッチ２ｃは、前記ジョイスティック２ｂの上端部位置に設けられ、検者が押し込むスイッチ操作を行うことで、眼底の撮影シャッタースイッチとなる。なお、撮影スイッチ２ｃは、撮影機能以外に、レビュー解除やパワーセーブ解除も行う。
【００２４】
前記メニュースイッチ201は、メニューのON/OFFを行う。
【００２５】
前記スプリットスイッチ202は、「スプリットのON/OFF」または「固視標の切換え」を行う。この機能の変更は、初期メニューの“SPLIT SWITCH”で行う。
【００２６】
前記撮影光量補正スイッチ203は、撮影光量の補正を行う。図２の左から、マイナス補正スイッチ、リセットスイッチ、プラス補正スイッチである。
【００２７】
前記観察光量補正スイッチ204は、観察光量の補正を行う。図２の左から、マイナス補正スイッチ、プラス補正スイッチである。
【００２８】
前記顎受け上下動スイッチ205は、顎受け４の上下動を行う。図２の左から、顎受け下動スイッチ、顎受け上動スイッチである。
【００２９】
前記ＩＤ入力スイッチ206は、ＩＤ入力画面に移動するスイッチである。
【００３０】
前記画像削除スイッチ207は、レビューした撮影画像を削除する場合にON/OFFする。
【００３１】
前記画像再生スイッチ208は、スイッチをONにすることによりデジタルスチルカメラ６の画像を再生することが可能になる。固視切換えスイッチ210をONする毎に一枚前に撮影した画像を再生する。また、固視切換えスイッチ212をONする毎に一枚後に撮影した画像を再生する。スイッチをOFFにすると観察画面に戻る。
【００３２】
前記小瞳孔スイッチ209は、スイッチをON/OFFすることにより、小瞳孔絞りのIN/OUTを行う。オートON/OFFスイッチ213がONの時にも独立して機能する。ONとなった場合は観察モニタ３ｂの画面上に◎が表示される。デジタル変倍連動モードに設定した場合、小瞳孔絞りをON時にデジタル変倍30°でイメージネットに保存する。また、プリントした場合は、デジタル変倍30°での画像をプリントアウトする。デジタル変倍非連動モードに設定した場合、小瞳孔絞りをON時にもデジタル変倍せず45°のままとする。なお、この小瞳孔スイッチ209は、メニューやＩＤ入力時、選択カーソルを上方向に移動させるスイッチを兼用する。
【００３３】
前記固視切換えスイッチ210は、現在の内部固視標の点滅（点灯）位置の一つ前の点滅（点灯）位置に切り換える。なお、この固視切換えスイッチ210は、メニューやＩＤ入力時、選択カーソルを左方向に移動させるスイッチを兼用する。
【００３４】
前記固視切換えスイッチ211は、現在の内部固視標の点滅（点灯）位置から最初の点滅（点灯）位置に切り換える。なお、この固視切換えスイッチ211は、プリントスイッチとエンタースイッチを兼用する。プリントスイッチの場合、ONにするとレビューした画像をプリントする。メニュー設定にて自動プリントに設定されていた場合とプリント表示が観察画面に表示されていた場合にONにすると、プリント中止となる。エンタースイッチの場合、メニューやＩＤ入力時、選択項目や文字の決定をする。
【００３５】
前記固視切換えスイッチ212は、現在の内部固視標の点滅（点灯）位置の一つ次の点滅（点灯）位置に切り換える。なお、この固視切換えスイッチ212は、メニューやＩＤ入力時、選択カーソルを右方向に移動させるスイッチを兼用する。
【００３６】
前記オートON/OFFスイッチ213と、オートシュート機能／オートフォーカス機能／オート小瞳孔機能のON/OFFを行う。ここで、各機能のON/OFFは、メニューにより設定可能である。なお、このオートON/OFFスイッチ213は、メニューやＩＤ入力時、選択カーソルを下方向に移動させるスイッチを兼用する。
【００３７】
前記変倍スイッチ214は、２変倍の眼底撮影を行うために、撮影画角を30°と45°に切り換えるスイッチである。
【００３８】
図３は、実施例１の無散瞳眼底カメラにおける装置本体に設定された観察モニタへ表示される各表示内容を示すイメージ図である。以下、各表示内容について説明する。
【００３９】
実施例１の無散瞳眼底カメラの場合、装置本体３の情報とデジタルスチルカメラ６の情報を、図３に示すように、観察モニタ３ｂに表示する。観察時、レビュー時、再生時、メニュー時の各表示としては、患者ＩＤ301と、左右眼302と、キセノン充電303と、撮影光量補正304と、撮影光量レベル305と、オート表示306と、画角307と、固視位置308と、()スケール309と、アライメント輝点310,310（アライメント視標）と、スプリット輝線311,311（スプリット視標）と、観察光量レベル312と、小瞳孔絞り313と、を有する。
【００４０】
前記患者ＩＤ301は、撮影する画像の患者ＩＤを表示する。前記左右眼302は、撮影する被検者の左右眼（Ｒ，Ｌ）を表示する。前記キセノン充電303は、充電中は点滅し、充電完了で点灯する。前記撮影光量補正304は、パネルスイッチ217（図５参照）での補正量（+4〜-4）を表示する。前記撮影光量レベル305は、撮影光量（0.8ws〜45ws）を表示する。
【００４１】
前記オート表示306は、オートシュート／オートフォーカス／オート小瞳孔切換えがONになっている場合に表示する。前記画角307は、撮影される画像倍率を表示する。例えば、デジタル変倍を小瞳孔絞り連動モードに設定した場合、小瞳孔絞りをON時に30°を表示する。前記固視位置308は、選択されている固視位置を点滅させることにより、内部固視位置パターンを表示する。
【００４２】
前記()スケール309は、アライメント輝点を合致させる位置として表示する。前記アライメント輝点310,310は、被検者のワーキングディスタンスを合わせるための視標として表示する。前記スプリット輝線311,311は、被検者の視度を合わせるための視標として表示する。前記観察光量レベル312は、観察光量レベルを５段階にて表示する。前記小瞳孔絞り313は、小瞳孔絞りが挿入されている時は◎を表示する。
【００４３】
図４は、実施例１の無散瞳眼底カメラにおける装置本体３に内蔵された光学系を示す光学配置図である。以下、無散瞳眼底カメラの光学系の配置構成を説明する。
【００４４】
前記装置本体３の内部には、図４に示すように、被検眼Ｅの眼底Ｅｆを照明するための照明光学系１０と、眼底Ｅｆを撮影する撮影光学系２０と、眼底Ｅｆを観察する観察光学系３０と、被検眼Ｅに対する装置本体３の相対位置合わせを行うためのアライメント系４０と、眼底Ｅｆに固視標を投影して被検眼Ｅを固視させるための内部固視系５０と、眼底Ｅｆに光学系の焦点合わせを行うためのスプリット光学系６０と、が設けられている。
【００４５】
前記照明光学系１０は、観察時には赤外光により眼底Ｅｆを照明し、撮影時には可視光により眼底Ｅｆを照明する照明光学系である。この照明光学系１０は、対物レンズ１１、穴空きミラー１２、リレーレンズ１３、反射ミラー１４、リレーレンズ１５、被検眼Ｅの瞳孔と共役関係に保たれたリング開口１６ａを有するリング開口板１６と、撮影光源としてのキセノンランプ１７ａと、ＩＲフィルタ１８と、コンデンサレンズ１９と、観察照明光源としてのハロゲンランプ１７ｂとを有している。また、被検眼Ｅと対物レンズ１１との距離Ｗは、適正作動距離に配置された場合、穴空きミラー１２は被検眼Ｅの角膜Ｃと共役な位置に配置されている。
【００４６】
前記撮影光学系２０は、照明光学系１０により照明された眼底Ｅｆを静止画像として撮影するための光学系である。この撮影光学系２０は、対物レンズ１１と、穴空きミラー１２と、合焦レンズ２１と、結像レンズ２２と、反射ミラー２３と、フィールドレンズ２４と、反射ミラー２５と、リレーレンズ２６と、撮影用CCDカメラ６のＣＣＤ６ａと、を有する。
【００４７】
前記観察光学系３０は、照明光学系１０により照明された眼底Ｅｆを観察するための光学系であり、撮影光学系２０の光路の途中からクイックリターンミラー３３により分岐して構成される。この観察光学系３０は、反射ミラー３５と、リレーレンズ３６と、観察用CCDカメラ３７のＣＣＤ３７ａと、を有する。
【００４８】
アライメント系４０は、アライメント視標であるアライメント輝点310,310を被検眼Ｅに向けて投影するためのものである。このアライメント系４０は、アライメント光源としてのアライメントLED４１と、該アライメントLED４１の光を導くライトガイド４２と、ライトガイド４２から射出された光を反射させて２孔絞り４３に導く反射鏡４４と、リレーレンズ４５と、撮影光学系２０からの分岐用ハーフミラー４６と、穴空きミラー１２と、対物レンズ１１と、を有する。２孔絞り４３は、作動距離Ｗが適正位置からずれたときにアライメント光束に基づくアライメント輝点310,310を分離して被検眼Ｅに投影する。
すなわち、ライトガイド４２の射出端４２ａから出射されたアライメント光束は、反射鏡４４により反射された２孔絞り４３に導かれ、２孔絞り４３の孔部４３ａ，４３ａを通ったアライメント光束は、リレーレンズ４５に導かれる。リレーレンズ４５を通過したアライメント光束は、ハーフミラー４６により穴空きミラー１２に向けて反射される。リレーレンズ４５は、ライトガイド４２の射出端４２ａを、穴空きミラー１２の孔部１２ａの中央位置Ｘに一旦中間結像する。その孔部１２ａの中央位置Ｘに結像されたアライメント視標を形成する一対のアライメント輝点310,310は、対物レンズ１１を介して被検眼Ｅの角膜Ｃに導かれる。
【００４９】
前記内部固視系５０は、被検眼Ｅの中心部とその周辺部に誘導させるための固視標を投影する光学系であり、観察光学系３０の光路の途中から赤外光を透過し、可視光を反射する特性を有するダイクロイックミラー５３により分岐されて配置されている。この固視系５０は、内部固視光源としての内部固視LED５１と、マスク板５２と、ダイクロイックミラー５３と、を有する。前記内部固視LED５１としては、例えば、中央に配置された３個のLEDと、該３個のLEDを中心として円周上に等間隔に配置された８個のLEDと、を有して構成される。
【００５０】
前記スプリット光学系６０は、スプリット輝線311,311の投影光学系であり、スプリット光源としてのスプリットLED６１と、前記照明光学系１０の光路中に設けられ、スプリットLED６１からの光を反射する反射棒６２と、を有する。前記反射棒６２は、被検眼Ｅの眼底Ｅｆと光学的に共役可能な位置に挿脱可能に挿入されている（その詳細構成は、例えば、特開平９−６６０３２号公報参照）。このスプリット光学系６０は、スプリット輝線311,311の反射棒６２の反射ミラーと眼底Ｅｆが常に光学的に共役となるように、観察光学系３０及び撮影光学系２０の合焦レンズ２１のＺ方向への移動と連動し、照明光学系１０の光軸方向に移動するようになっている。眼底Ｅｆとスプリット輝線311,311とが共役になっていない場合、図３に示すように、スプリット輝線311,311が左右方向に二つに分離して見え、スプリット輝線311,311を一つに揃えることにより、ピント合わせを行うことができる。
【００５１】
図５は、実施例１の無散瞳眼底カメラにおける装置ベース１と架台部２と装置本体３に内蔵された制御系を示す電気ブロック図である。以下、無散瞳眼底カメラの電気制御系の構成を説明する。
【００５２】
前記装置ベース１には、図５に示すように、顎受けPCB101と、顎受けDCモータ102と、外部固視LED103と、交流電源供給プラグ104と、ヒューズ105と、電源供給スイッチ106と、電源供給切り換え部107と、中継PCB108と、を備えている。そして、前記中継PCB108には、テンキー用PS2コネクタ109と、プリンタ用USBコネクタ110と、マウス用USBコネクタ111と、イメージネット用USBコネクタ112と、を有する。
【００５３】
前記架台部２には、図５に示すように、撮影スイッチ２ｃと、メニュースイッチ201と、スプリットスイッチ202と、撮影光量補正スイッチ203と、観察光量補正スイッチ204と、顎受け上下動スイッチ205と、ＩＤ入力スイッチ206と、小瞳孔スイッチ209と、固視切換えスイッチ210,211,212と、オートON/OFFスイッチ213と、変倍スイッチ214と、架台前後検知スイッチ215と、架台左右検知スイッチ216と、パネルスイッチ217と、を備えている。
【００５４】
前記装置本体３には、図５に示すように、撮影用CCDカメラ６と、キセノンランプ１７ａと、ハロゲンランプ１７ｂと、観察LCDユニット３１と、観察用CCDカメラ３７と、本体PCB315と、ボードPC316と、撮影カメラ中継PCB317と、DC電源PCB318と、キャプチャボード319と、を備えている。なお、前記DC電源PCB318には、ハロゲンランプ制御部318aと、キセノンランプ制御部318bを有する。
【００５５】
前記本体PCB315への情報入力手段として、図５に示すように、瞬き検知PCB320と、グリーンフィルタ検知スイッチ321と、視度補正レンズ検知スイッチ322と、ランプハウスカバー検知スイッチ323と、アライメントモータ検知センサ324と、クイックミラーモータ検知センサ325と、オートフォーカスモータ(+)検知センサ326と、オートフォーカスモータ(-)検知センサ327と、を備えている。
【００５６】
前記本体PCB315からの制御指令出力手段として、図５に示すように、冷却ファン328と、アライメントモータ330（アライメントアクチュエータ）と、クイックミラーモータ331と、オートフォーカスモータ332（オートフォーカスアクチュエータ）と、水晶体絞り駆動ソレノイド333と、前眼部切換え駆動ソレノイド334と、反射棒駆動ソレノイド335と、スプリットLED６１と、アライメントLED４１と、手元照明LED336と、内部固視LED５１と、を備えている。
【００５７】
前記本体PCB315と前記ボードPC316は、シリアル通信によりデータ交換される。前記本体PCB315と前記撮影カメラ中継PCB317は、双方向通信によりデータ交換される。前記ボードPC316と前記撮影カメラ中継PCB317、前記ボードPC316と前記中継PCB108、前記撮影カメラ中継PCB317と前記中継PCB108は、それぞれ双方向通信によりデータ交換される。
【００５８】
前記本体PCB315は、下記の機能を担う。
(1)センサ検知
瞬き／グリーンフィルタ／視度補正レンズ／ランプハウスカバー／アライメント・クイックミラー／オートフォーカスモータの検知を行う。
(2)モータ駆動
アライメント／クイックミラー／オートフォーカスモータの駆動制御を行う。
(3)ソレノイド駆動
水晶体絞り／前眼部切換え／反射棒ソレノイドの駆動制御を行う。
(4)LED点灯
スプリット／アライメント／手元照明／内部固視の点灯・点滅を制御する。
(5)スイッチ信号の読み込み
架台部２からの各種スイッチ信号の読み込みを行う。
【００５９】
前記ボードPC316（シングルボードコンピュータ）は、下記の機能を担う。
(1)ダイレクトプリント機能
撮影用CCDカメラ６で撮影した画像をプリンタ８へ直接転送する機能をいう。撮影用CCDカメラ６の本体にもピクトブリッジ機能は実装されているが、印刷する際に撮影用CCDカメラ６の本体を操作する必要があり、操作性が悪い。そこで、一連の撮影動作の内部にプリントアウト機能を含めることにより操作を簡略化する。
(2)オートフォーカス機能（略称を「ＡＦ機能」という。）
観察用CCDカメラ３７のＣＣＤ３７ａから得られる観察映像信号上のスプリット輝線311,311の状態を解析し、オートフォーカスを実現する機能をいう。映像信号の解析をボードコンピュータにおいて実行することにより、専用ＰＣ板を使用することなくオートフォーカスを実行できる。
(3)オートシュート機能（略称を「ＡＳＨ機能」という。）
観察用CCDカメラ３７のＣＣＤ３７ａから得られる観察映像信号上のアライメント輝点310,310とスプリット輝線311,311の状態を解析し、自動フラッシュ撮影動作を実現する機能をいう。上記オートフォーカスと同様に、映像信号の解析をボードコンピュータにおいて実行することにより、専用ＰＣ板を使用することなくオートシュートを実行できる。
(4)オート小瞳孔切換え機能（略称を「ＡＳＰ機能」という。）
観察用CCDカメラ３７のＣＣＤ３７ａから得られる観察映像信号上のスプリット輝線311,311の状態を解析し、小瞳孔の場合、自動的に絞りを挿入する機能をいう。上記オートフォーカスと同様に、映像信号の解析をボードコンピュータにおいて実行することにより、専用ＰＣ板を使用することなくオート小瞳孔切換えを実行できる。
(5)モニタ表示機能
観察像及び撮影像を観察モニタ３ｂに表示する。
【００６０】
前記DC電源PCB318は、下記の機能を担う。
(1)ハロゲンランプ制御部318aにてハロゲンランプ１７ｂの発光を制御する。
(2)キセノンランプ制御部318bにてキセノンランプ１７ａの発光を制御する。
【００６１】
図６は、実施例１の無散瞳眼底カメラにおけるボードPC316にて実行されるオートフォーカス制御動作の流れを示すフローチャートである。図７は、実施例１の無散瞳眼底カメラにおけるボードPC316で実行されるオートシュート制御動作の流れ（オート小瞳孔切換え制御動作の流れを含む）を示すフローチャートである。以下、各ステップについて説明する（自動撮影制御手段）。
【００６２】
ステップＳ１では、オートON/OFFスイッチ213がONであるか否かを判断する。YES（オートON/OFFスイッチON）と判断された場合はステップＳ２へ移行し、NO（オートON/OFFスイッチOFF）と判断された場合はステップＳ１での判断を繰り返す。
【００６３】
ステップＳ２では、ステップＳ１でのオートON/OFFスイッチONとの判断に続き、前眼部観察から眼底観察に切り換わったか否かを判断する。YES（前眼部観察→眼底観察）と判断された場合はステップＳ３へ移行し、NO（前眼部観察のまま、あるいは、眼底観察のまま）と判断された場合はステップＳ１へ戻る。
【００６４】
ステップＳ３では、ステップＳ２での前眼部観察から眼底観察に切り換わったとの判断に続き、キャプチャボード319を介して観察用CCDカメラ３７のＣＣＤ３７ａから得られる眼底観察像を１フレーム分だけ取り込み、ステップＳ４へ移行する。
【００６５】
ステップＳ４では、ステップＳ３での眼底観察像の取り込みに続き、オートフォーカスのためのスプリット輝線311,311の重心位置を検出し、ステップＳ５へ移行する。
ここで、スプリット輝線311,311の重心位置検出は、取り込まれた眼底観察像中のスプリット輝線311,311の輝度分布特性において、輝度が閾値以上である領域の中心点を重心位置として検出するようにしている。
【００６６】
ステップＳ５では、ステップＳ４でのスプリット輝線311,311の重心位置検出に続き、スプリット輝線311,311の数が１つ以下か否かが判断される。スプリット輝線311,311の数が２つであると判断された場合はステップＳ６へ移行し、スプリット輝線311,311の数が１つ以下と判断された場合はステップＳ１２へ移行する。
このスプリット輝線311,311の数判断は、ステップＳ４で輝度分布特性を用いて重心位置の検出を行っていることに伴い、重心位置が検出された数とする。
【００６７】
ステップＳ６では、ステップＳ５またはステップＳ１５でのスプリット輝線311,311の数が２つであるとの判断に続き、２つのスプリット輝線311,311の重心位置の差を算出し、オートフォーカスモータ332によるモータ移動量を確定し、ステップＳ７へ移行する。
ここで、左右のスプリット輝線311,311の上下関係により、モータ移動量と共にモータ移動方向も確定しておく。
【００６８】
ステップＳ７では、ステップＳ６でのモータ移動量の確定に続き、確定したモータ移動量とモータ移動方向にてオートフォーカスモータ332（合焦モータ）を駆動し、ステップＳ８へ移行する。
【００６９】
ステップＳ８では、ステップＳ７での合焦モータの駆動に続き、さらにキャプチャボード319を介して観察用CCDカメラ３７のＣＣＤ３７ａからの眼底観察像を１フレーム分だけ取り込み、２つのスプリット輝線311,311のズレが認識される場合、一致させる方向にオートフォーカスモータ332を用いて微調整し、ステップＳ９へ移行する。
【００７０】
ステップＳ９では、ステップＳ８でのオートフォーカスの微調整に続き、２つのスプリット輝線311,311の位置が合焦範囲内であるか否かを判断する。YES（合焦範囲内）と判断された場合はステップＳ１０へ移行し、NO（合焦範囲外）と判断された場合はステップＳ３へ戻る。
ここで、２つのスプリット輝線311,311の分離量が、例えば、±0.5Dにあるとき、２つのスプリット輝線311,311の位置が合焦範囲内であると判断する。
【００７１】
ステップＳ１０では、ステップＳ９での２つのスプリット輝線311,311の位置が合焦範囲内であるとの判断に続き、現在のオートフォーカスモータ332のモータ位置を記憶し、ステップＳ１１へ移行する。
【００７２】
ステップＳ１１では、ステップＳ１０での現在のモータ位置の記憶、あるいは、ステップＳ１５での観察像にて認識されるスプリット輝線311,311の数が１つであるとの判断に続き、オートフォーカス動作により合焦が完了したとし、小瞳孔検知動作やオートシュート機能動作を開始するステップＳ１６へ移行する。
【００７３】
ステップＳ１２では、ステップＳ５でのスプリット輝線311,311の数が１以下であるとの判断に続き、スプリット輝線311,311の数が１つかゼロかを判断する。１つの場合にはステップＳ１３へ移行し、ゼロの場合には小瞳孔検知動作を開始するステップＳ１６へ移行する。
【００７４】
ステップＳ１３では、ステップＳ１２でのスプリット輝線311の数が１つであるとの判断に続き、１つのスプリット輝線311の重心位置と、予め設定されている走査線の合焦位置との差を算出し、ステップＳ１４へ移行する。
【００７５】
ステップＳ１４では、ステップＳ１３での１つのスプリット輝線311の重心位置と合焦位置の差の算出に続き、確定した差に基づく移動量と移動方向により、オートフォーカスモータ332（合焦モータ）を駆動し、ステップＳ１５へ移行する。
ここで、移動方向は、左右のスプリット輝線311,311のうち、どちらのスプリット輝線311が検知されたか否かにより判断する。
【００７６】
ステップＳ１５では、ステップＳ１４での合焦モータの駆動に続き、再度、眼底観察像を１フレーム分だけ取り込み、観察像にて認識されるスプリット輝線311,311が２つ有るか否かを判断する。YES（スプリット輝線２つ）と判断された場合はステップＳ６へ移行し、NO（スプリット輝線１つ）と判断された場合はステップＳ１１へ移行する。
【００７７】
ステップＳ１６では、ステップＳ１１での合焦完了、あるいは、ステップＳ１２での観察像にて認識されるスプリット輝線311,311がゼロであるとの判断、あるいは、ステップＳ２７でのアライメント輝点310,310が合致していないとの判断に続き、観察用CCDカメラ３７のＣＣＤ３７ａから得られる眼底観察像を取り込み、取り込んだ画像から２つのアライメント輝点310,310の重心位置を検出し、ステップＳ１７へ移行する。
ここで、アライメント輝点310,310の重心位置検出は、スプリット輝線311,311と同様に、取り込まれた眼底観察像中のアライメント輝点310,310の輝度分布特性において、輝度が閾値以上である領域の中心点を重心位置として検出するようにしている。
【００７８】
ステップＳ１７では、ステップＳ１８での２つのアライメント輝点310,310の重心位置検出に続き、観察像にて認識されるスプリット輝線311,311が１つ以下であるか否かを判断する。YES（スプリット輝線１つまたはゼロ）と判断された場合はステップＳ１８へ移行し、NO（スプリット輝線２つ）と判断された場合はステップＳ２５へ移行する。
【００７９】
ステップＳ１８では、ステップＳ１７での観察像にて認識されるスプリット輝線311,311が１つ以下であるとの判断に続き、観察像にて認識されるスプリット輝線311,311が１つ、あるいは、ゼロのいずれかであるかが判断される。スプリット輝線311,311が１つであると判断された場合は、ステップＳ１９へ移行し、スプリット輝線311,311がゼロであると判断された場合は、ステップＳ２１へ移行する。
【００８０】
ステップＳ１９では、ステップＳ１８でのスプリット輝線311,311が１つであるとの判断に続き、２つのアライメント輝点310,310が規定の位置、つまり、()スケール309の内側に存在するか否かを判断する。YES（アライメント輝点が規定位置内）と判断された場合にはステップＳ２０へ移行し、NO（アライメント輝点が規定位置外）と判断された場合にはステップＳ３へ戻る。
【００８１】
ステップＳ２０では、ステップＳ１９での２つのアライメント輝点310,310が規定位置内であるとの判断に続き、小瞳孔絞り（水晶体絞り）を挿入し、ステップＳ２５へ移行する。
すなわち、観察像にて認識されるスプリット輝線311,311が１つであることにより小瞳孔であると判定し、小瞳孔判定時、許容範囲のアライメント調整が行われていることを条件として、自動的に小瞳孔絞り（水晶体絞り）を挿入する。例えば、高倍時（画角30°）に水晶体絞りを切り換えてφ3.3mmの瞳径まで撮影できるようにする。なお、高倍時には、水晶体絞りを切り換えると共に、フレアー対策として電気的マスクを入れる。
【００８２】
ステップＳ２１では、ステップＳ１８でのスプリット輝線311,311がゼロであるとの判断に続き、ステップＳ２０と同様に、小瞳孔絞り（水晶体絞り）を挿入し、ステップＳ２２へ移行する。
【００８３】
ステップＳ２２では、ステップＳ２１での小瞳孔絞りの挿入に続き、撮影眼は右眼であるか左眼であるかが判断される。左眼であると判断された場合にはステップＳ２３へ移行し、右眼であると判断された場合にはステップＳ２４へ移行する。
【００８４】
ステップＳ２３では、ステップＳ２２での撮影眼は左眼であるとの判断に続き、左眼でスプリット輝線311,311が１つでも入るように検者に対してアライメントを変更する誘導指示を表示し、ステップＳ３へ移行する。ここで、誘導指示の表示は、()スケール309を被検者の左眼上で0.5mm相当分ずらすことにより行う。
【００８５】
ステップＳ２４では、ステップＳ２２での撮影眼は右眼であるとの判断に続き、右眼でスプリット輝線311,311が１つでも入るように検者に対してアライメントを変更する誘導指示を表示し、ステップＳ３へ移行する。ここで、誘導指示の表示は、()スケール309を被検者の右眼上で0.5mm相当分ずらすことにより行う。
【００８６】
ステップＳ２５では、ステップＳ１７でのスプリット輝線311,311が２つであるとの判断、あるいは、ステップＳ２０での小瞳孔絞りの挿入に続き、２つのアライメント輝点310,310の重心位置の差を算出し、アライメントモータ330によるモータ移動量を確定し、ステップＳ２６へ移行する。
ここで、２つのアライメント輝点310,310の()スケール309に対する位置関係により、モータ移動量と共にモータ移動方向（上下・左右・前後）も確定しておく。
【００８７】
ステップＳ２６では、ステップＳ２５でのモータ移動量の確定に続き、確定したモータ移動量とモータ移動方向にてアライメントモータ330を駆動し、ステップＳ２７へ移行する。
【００８８】
ステップＳ２７では、ステップＳ２６でのアライメントモータ330の駆動に続き、２つのアライメント輝点310,310が()スケール309内にて合致しているか否かを判断する。YES（アライメント輝点が合致）と判断された場合にはステップＳ２８へ移行し、NO（アライメント輝点が合致していない）と判断された場合にはステップＳ１６へ戻る。
ここで、２つのアライメント輝点310,310の合致判断は、例えば、２つのアライメント輝点310,310の重心位置の差が0.3mm以下であるとき、あるいは、輝点分離量1/6以内であるとき合致していると判断する。
【００８９】
ステップＳ２８では、ステップＳ２７でのアライメント輝点310,310が合致しているとの判断に続き、スプリット輝線311,311の状況の最終確認を終了したか否かを判断する。YES（スプリット輝線311,311の最終確認が終了）と判断された場合にはステップＳ２９へ移行し、NO（スプリット輝線311,311の最終確認できない）と判断された場合にはステップＳ３へ戻る。
ここで、スプリット輝線311,311の最終確認は、ステップＳ９と同様に、２つのスプリット輝線311,311の位置が合焦範囲内であるとき最終確認終了とし、２つのスプリット輝線311,311の位置が合焦範囲外であるとき最終確認できないとする。
【００９０】
ステップＳ２９では、ステップＳ２８での２つのスプリット輝線311,311の最終確認が終了したとの判断に続き、自動的にキセノンランプ１７ａを発光させながらシャッターを切り、オートシュート機能による眼底撮影動作を行い、スタートへ戻る。
【００９１】
図８は、実施例１の無散瞳眼底カメラにおけるボードPC316で実行されるＡＦ機能とＡＳＰ機能とＡＳＨ機能のマニュアル操作による選択動作の流れを示すフローチャートである（自動動作機能選択手段）。図９は、実施例１の無散瞳眼底カメラにおけるＡＦ機能とＡＳＰ機能とＡＳＨ機能の選択操作系を示す図である。以下、図８の各ステップについて説明する。
【００９２】
ステップＳ３０では、検者がメニュー操作を行うことにより観察モニタ３ｂに、Auto/Manualの選択画面が表示されているか否かを判断する。YES（Auto/Manualの選択画面表示）の場合はステップＳ３１へ移行する。NO（Auto/Manualの選択画面非表示）の場合はエンドへ移行する。
【００９３】
ステップＳ３１では、ステップＳ３０でのAuto/Manualの選択画面表示との判断に続き、ＡＦ無効表示なされていないとき、ＡＦ機能をManualとする選択がなされているか否かを判断する。YES（ＡＦ機能のManual選択）の場合はステップＳ３４へ移行する。NO（ＡＦ機能をAuto選択、または、ＡＦ無効表示）の場合はステップＳ３２へ移行する。
【００９４】
ステップＳ３２では、ステップＳ３１でのＡＦ機能のAuto選択、または、ＡＦ無効表示と判断に続き、ＡＳＰ無効表示なされていないとき、ＡＳＰ機能をManualとする選択がなされているか否かを判断する。YES（ＡＳＰ機能のManual選択）の場合はステップＳ３５へ移行する。NO（ＡＳＰ機能をAuto選択、または、ＡＳＰ無効表示）の場合はステップＳ３３へ移行する。
【００９５】
ステップＳ３３では、ステップＳ３２でのＡＳＰ機能のAuto選択、または、ＡＳＰ無効表示と判断に続き、ＡＳＨ無効表示なされていないとき、ＡＳＨ機能をManualとする選択がなされているか否かを判断する。YES（ＡＳＨ機能のManual選択）の場合はステップＳ３６へ移行する。NO（ＡＳＨ機能をAuto選択、または、ＡＳＨ無効表示）の場合はステップＳ３７へ移行する。
【００９６】
ステップＳ３４では、ステップＳ３１でのＡＦ機能をManualとする選択がなされているとの判断に続き、ＡＦ機能を無効にすると共に、「ＡＦ無効」のモニタ表示を行い、リターンへ移行する。
【００９７】
ステップＳ３５では、ステップＳ３２でのＡＳＰ機能をManualとする選択がなされているとの判断に続き、ＡＳＰ機能を無効にすると共に、「ＡＳＰ無効」のモニタ表示と「小瞳孔絞り」のモニタ表示を行い、リターンへ移行する。
【００９８】
ステップＳ３６では、ステップＳ３３でのＡＳＨ機能をManualとする選択がなされているとの判断に続き、ＡＳＨ機能を無効にすると共に、「ＡＳＨ無効」のモニタ表示を行い、リターンへ移行する。
【００９９】
ステップＳ３７では、ステップＳ３６でのＡＳＨ機能をAutoとする選択がなされているとの判断に続き、ＡＦ機能とＡＳＰ機能とＡＳＨ機能のうち、少なくともＡＳＨ機能を有効にすると共に、「Auto有効」のモニタ表示を行い、リターンへ移行する。
【０１００】
ここで、ＡＦ機能（オートフォーカス機能）とＡＳＰ機能（オート小瞳孔切換え機能）とＡＳＨ機能（オートシュート機能）の選択操作は、図９に示すように、観察モニタ３ｂに表示されたAuto/Manualの選択画面の、各機能についてのAuto表示部とManual表示部での選択表示位置を、スイッチ209（上方向）、スイッチ213（下方向）、スイッチ210（左方向）、スイッチ212（右方向）を用いて動かす。そして、各機能についての「Auto」または「Manual」の選択表示位置での決定は、スイッチ211を「ENTER」スイッチとして、これを押すことがマニュアル選択操作となって決定する。
【０１０１】
図１０は、実施例１の無散瞳眼底カメラにおけるボードPC316で実行されるＡＦ機能とＡＳＰ機能とＡＳＨ機能の有効・無効を自動的に選択する自動選択動作の流れを示すフローチャートである（自動動作機能選択手段）。
【０１０２】
ステップＳ４０では、被検眼Ｅの視度が-13D〜+12Dの範囲を超えているか否かを判断する。YES（-13D〜+12Dの範囲を超えている）の場合はステップＳ４１へ移行し、NO（-13D〜+12Dの範囲内）の場合はステップＳ４２へ移行する。
ここで、被検眼Ｅの視度情報は、予めレフラクトメータや検影法や自覚的検査法等の屈折検査法を用いて検査しておき、この視度情報を予め被検者のＩＤ情報と共に入力するか、予め検者による操作で視度情報を入力しておく。
【０１０３】
ステップＳ４１では、ステップＳ４０での被検眼Ｅの視度が-13D〜+12Dの範囲を超えているとの判断に続き、ＡＦ機能とＡＳＰ機能とＡＳＨ機能を無効にすると共に、「Auto無効」のモニタ表示と、視度補正レンズの挿入を促す「視度補正レンズ挿入」のモニタ表示を行う。
なお、ＡＳＨ機能を無効にする理由は、眼底像で合焦するので、光学系に被検眼Ｅが含まれることになり、屈折異常の場合には、合焦確認を条件とするオートシュート機能を実行しないことが好ましいことによる。
【０１０４】
ステップＳ４２では、ステップＳ４０での被検眼Ｅの視度が-13D〜+12Dの範囲内であるとの判断に続き、スプリット輝線311,311が検出された数が何本であるかどうかを判断する。検出されたスプリット輝線311の数が１本の場合は、ステップＳ４３へ移行する。検出されたスプリット輝線の数がゼロ本の場合は、ステップＳ４４へ移行する。検出されたスプリット輝線311,311の数が２本の場合は、ステップＳ４５へ移行する。
【０１０５】
ステップＳ４３では、ステップＳ４２での検出されたスプリット輝線311の数が１本のであるとの判断に続き、小瞳孔絞りの挿入を促す「小瞳孔絞り」のモニタ表示を行い、ステップＳ４５へ移行する。
【０１０６】
ステップＳ４４では、ステップＳ４２での検出されたスプリット輝線の数がゼロ本であるとの判断に続き、ＡＦ機能とＡＳＰ機能とＡＳＨ機能を無効にすると共に、「Auto無効」のモニタ表示と、小瞳孔絞りの挿入を促す「小瞳孔絞り」のモニタ表示を行う。
【０１０７】
ステップＳ４５では、ステップＳ４２での検出されたスプリット輝線311,311の数が２本であるとの判断、あるいは、ステップＳ４３での「小瞳孔絞り」のモニタ表示に続き、スプリットスイッチ202を押したか否かを判断する。YES（被検者がスプリット輝線311,311を見ないように、検者がスプリットスイッチ202を押してスプリット輝線311,311を退避させた）の場合はステップＳ４６へ移行する。NO（スプリットスイッチ202への操作無し）の場合はステップＳ４７へ移行する。
【０１０８】
ステップＳ４６では、ステップＳ４５でのスプリットスイッチ202を押したとの判断に続き、ＡＦ機能とＡＳＰ機能とＡＳＨ機能を無効にすると共に、「Auto無効」のモニタ表示を行う。
【０１０９】
ステップＳ４７では、ステップＳ４５でのスプリットスイッチ202を押していないとの判断に続き、スプリットスイッチ202の初期設定を内部固視標から外部固視標への固視標切換えスイッチに変更しておき、この固視標切換えスイッチを押したか否かを判断する。YES（内部固視標から外部固視標への切換え）の場合はステップＳ４８へ移行する。NO（内部固視標のまま固視標の切換へ無し）の場合はステップＳ５１へ移行する。
【０１１０】
ステップＳ４８では、ステップＳ４７での内部固視標から外部固視標への切換え判断に続き、内部固視標を消したか否かを判断する。YES（内部固視標を消す）の場合はステップＳ４９へ移行する。NO（内部固視標を消さない）の場合はステップＳ５０へ移行する。
【０１１１】
ステップＳ４９では、ステップＳ４８での内部固視標を消したとの判断に続き、「内部固視OFF」のモニタ表示を行い、ステップＳ５１へ移行する。
【０１１２】
ステップＳ５０では、ステップＳ４８での内部固視標を消さないとの判断に続き、ＡＦ機能とＡＳＰ機能とＡＳＨ機能を無効にすると共に、「Auto無効」のモニタ表示と「内部→外部固視標」のモニタ表示を行う。
【０１１３】
ステップＳ５１では、ステップＳ４７での固視標切換えスイッチを押していないとの判断、あるいは、ステップＳ４９での「内部固視OFF」のモニタ表示に続き、小瞳孔スイッチ209をオンにしたか否かを判断する。YES（小瞳孔スイッチON）の場合はステップＳ５２へ移行する。NO（小瞳孔スイッチOFF）の場合はステップＳ５３へ移行する。
【０１１４】
ステップＳ５２では、ステップＳ５１での小瞳孔スイッチONであるとの判断に続き、小瞳孔絞りを挿入して撮影したいという検者の意図を優先し、ＡＳＰ機能のみを無効にすると共に、「小瞳孔絞り」のモニタ表示を行う。
【０１１５】
ステップＳ５３では、ステップＳ５１での小瞳孔スイッチOFFであるとの判断に続き、小瞳孔スイッチ209を３回押したか否かを判断する。YES（小瞳孔スイッチ２回押し）の場合はステップＳ５４へ移行する。NO（小瞳孔スイッチ２回押し無し）の場合はステップＳ５５へ移行する。
【０１１６】
ステップＳ５４では、ステップＳ５３での小瞳孔スイッチ２回押しであるとの判断に続き、小瞳孔スイッチ209を２回押すことで、通常絞りを挿入して撮影したいという検者の意図を優先し、ＡＳＰ機能のみを無効にすると共に、「小瞳孔絞り無効」のモニタ表示を行う。なお、通常絞りの解除は、オートON/OFFスイッチ213により行う。
【０１１７】
ステップＳ５５では、ステップＳ５３での小瞳孔スイッチ２回押し無しとの判断に続き、オートON/OFFスイッチ213を、１回、３回、…等のように奇数回押したか否かを判断する。YESの場合はステップＳ５６へ移行する。NOの場合はステップＳ５７へ移行する。
【０１１８】
ステップＳ５６では、ステップＳ５５でのオートON/OFFスイッチ213を奇数回押したとの判断に続き、ＡＦ機能とＡＳＰ機能は有効にしたままで、ＡＳＨ機能のみを無効にすると共に、「ASH無効」のモニタ表示を行う。
【０１１９】
ステップＳ５７では、ステップＳ５５でのオートON/OFFスイッチ213を奇数回押していない（＝偶数回押した）との判断に続き、前眼部から眼底に切り替わってから設定時間が経過したか否かを判断する。YES（前眼部→眼底から設定時間経過）の場合はステップＳ５８へ移行する。NO（前眼部→眼底から設定時間未満）の場合はステップＳ５９へ移行する。ここで、ＡＦ機能が正常に動作しないことを判別する設定時間は、例えば、5秒／10秒（標準設定）／15秒／20秒に設定可能とする。
【０１２０】
ステップＳ５８では、ステップＳ５７での前眼部→眼底から設定時間経過との判断に続き、ＡＦ機能とＡＳＰ機能とＡＳＨ機能を無効にすると共に、「Auto無効」のモニタ表示と「ＡＦ無効」のモニタ表示を行う。「ＡＦ無効」のモニタ表示は、例えば、観察モニタ３ｂに表示されている()スケール309の点滅により行う。なお、()スケール309の点滅は、撮影または前眼部に戻すと解除する。
【０１２１】
ステップＳ５９では、ステップＳ５８での前眼部→眼底から設定時間を経過していないとの判断に続き、ＡＦ機能とＡＳＰ機能とＡＳＨ機能を有効のままにすると共に、「Auto有効」のモニタ表示を行う。
【０１２２】
次に、作用を説明する。
実施例１の無散瞳眼底カメラにおける作用を、「手動操作による眼底撮影作用」、「オートフォーカス作用」、「２つのスプリット輝線認識時におけるオートシュート作用」、「小瞳孔判定時におけるオートシュート作用」、「スプリット輝線誘導作用」、「ＡＦ機能とＡＳＰ機能とＡＳＨ機能のマニュアル選択作用」、「ＡＦ機能とＡＳＰ機能とＡＳＨ機能の自動選択作用」に分けて説明する。
【０１２３】
［手動操作による眼底撮影作用］
図１１は、実施例１の無散瞳眼底カメラにてオートON/OFFスイッチをOFFにしての手動操作による眼底撮影作用を説明する図で、(a)はモニタ中央に被検眼を映し出したモニタ画面を示し、(b)は合焦操作とアライメント操作を行う前のモニタ画面を示し、(c)は合焦操作とアライメント操作を行った後のモニタ画面を示し、(d)は撮影時の眼底のレビュー像を表示したモニタ画面を示す。以下、例えば、検者が熟練者であり、手動操作により眼底撮影を行う場合の操作手順を説明する。
【０１２４】
(1)電源スイッチを入れ、オートON/OFFスイッチ213をOFFのままとすると、観察モニタ３ｂにオープニングタイトルが表示された後、観察画面が表示される。
【０１２５】
(2)ジョイスティック２ｂにより装置本体３を一番手前に引いて、顎受け４に顎を載せた被検者に真っ直ぐ前を見るように指示する。
【０１２６】
(3)ジョイスティック２ｂにより装置本体３を、左右・上下に動かし、図１１(a)に示すように、観察モニタ３ｂの中央に被検眼Ｅを映す。
【０１２７】
(4)観察モニタ３ｂ上で、被検者の瞳孔に()スケール309を合わせ、図１１(a)に示すように、被検者の瞳孔の大きさが()スケール309より大きいことを確認する。つまり、眼底撮影が可能かどうかを確認する。
【０１２８】
(5)ジョイスティック２ｂにより装置本体３を真っ直ぐ押し込んでゆくと、観察モニタ３ｂ上に、作動距離合わせのアライメント輝点310,310が２つ見えてくるので、２つのアライメント輝点310,310を、図１１(b)に示すように、１つに合致させる。このとき、被検者には、緑色の点滅（内部固視標）を見るように指示する。
【０１２９】
(6)合焦ハンドル３ａに対する操作により、図１１(b)に示すように、離れている２つのスプリット輝線311,311を、図１１(c)に示すように、垂直に揃える。そして、ジョイスティック２ｂに対する操作により、図１１(c)に示すように、２つのアライメント輝点310,310を()スケール309内に入れる。
【０１３０】
(7)スプリット輝線311,311とアライメント輝点310,310の合致を確認し、ジョイスティック２ｂの上端部に設けられた撮影スイッチ２ｃを押すと、キセノンランプ１７ａを発光させながらシャッターが切れ、眼底撮影が行われる。撮影後、図１１(d)に示すように、撮影時の眼底のレビュー像が観察モニタ３ｂ上に表示される。
【０１３１】
(8)眼底のレビュー像を確認し、次の撮影を行う場合は、再度、撮影スイッチ２ｃを押すと観察画面に戻るので、(2)〜(7)の操作を繰り返して次の撮影を行う。なお、眼底撮影後、画像を削除したい場合には、レビュー画面で、画像削除スイッチ207を押すと、画像が削除されて観察画面に戻る。
【０１３２】
［オートフォーカス作用］
図１２は、実施例１の無散瞳眼底カメラにてオートON/OFFスイッチをONにしての自動眼底撮影時におけるオートフォーカス作用を説明するスプリット輝線図である。図１３は、実施例１の無散瞳眼底カメラにてオートON/OFFスイッチをONにしての自動眼底撮影時におけるオートフォーカス動作でのスプリット輝線の重心位置検出作用の説明図である。以下、例えば、検者が未熟者であり、オートフォーカス機能を使って眼底撮影を行う場合のオートフォーカス動作手順を説明する。
【０１３３】
まず、オート撮影モードでのオートフォーカス動作とは、合焦ハンドル３ａに対する手動操作に代え、オートフォーカスモータ332の駆動により、図１２に示すように、離れている２つのスプリット輝線311,311を垂直に揃える動作をいう。
【０１３４】
電源スイッチを入れ、オートON/OFFスイッチ213をONにし、前眼部撮影から眼底撮影に切り換えられると、図６のフローチャートにおいて、ステップＳ１→ステップＳ２→ステップＳ３→ステップＳ４へと進む。ステップＳ３では、キャプチャボード319を介して観察用CCDカメラ３７のＣＣＤ３７ａからの眼底観察像を１フレーム分だけボードPC316に取り込む。次のステップＳ４では、オートフォーカスのためのスプリット輝線311,311の重心位置を検出する。
【０１３５】
ここで、スプリット輝線311,311の重心位置の検出について説明する。図１３の左側に示すように、取り込まれた眼底観察像中のスプリット輝線311,311と同じ程度の高さでスプリット輝線311,311より広い幅の領域Ａ１，Ａ２を設定する。そして、図１３の右側に示すように、領域Ａ１，Ａ２のそれぞれの輝度分布特性において、輝度が閾値以上である領域の中心点を重心位置として検出するようにしている。
【０１３６】
そして、スプリット輝線311,311の重心位置が検出された数が２つである、つまり、スプリット輝線311,311の数が２つであると判断された場合は、図６のフローチャートにおいて、ステップＳ４からステップＳ５→ステップＳ６→ステップＳ７→ステップＳ８→ステップＳ９へと進む。ステップＳ６では、２つのスプリット輝線311,311の重心位置の差を算出し（図１３）、オートフォーカスモータ332によるモータ移動量を確定する。ステップＳ７では、確定したモータ移動量とモータ移動方向にてオートフォーカスモータ332を駆動する。ステップＳ８では、再度、眼底観察像を１フレーム分だけ取り込み、２つのスプリット輝線311,311のズレが認識される場合、一致させる方向にオートフォーカスモータ332を用いて微調整する。ステップＳ９では、２つのスプリット輝線311,311の位置が合焦範囲内であるか否かを判断する。
【０１３７】
そして、ステップＳ９にて、合焦範囲内と判断された場合は、ステップＳ１０→ステップＳ１１へ進み、ステップＳ１１では、合焦が完了したとし、次の小瞳孔検知動作やオートシュート機能動作を開始する。また、ステップＳ９にて、合焦範囲外と判断された場合は、ステップＳ３へ戻り、上記オートフォーカス動作を合焦範囲内と判断されるまで繰り返す。
【０１３８】
一方、そして、スプリット輝線311,311の重心位置が検出された数が１つである、つまり、スプリット輝線311,311の数が１つであると判断された場合は、図６のフローチャートにおいて、ステップＳ４からステップＳ５→ステップＳ１２→ステップＳ１３→ステップＳ１４→ステップＳ１５へと進む。ステップＳ１２では、スプリット輝線311,311の数が１つかゼロかを判断する。ステップＳ１３では、１つのスプリット輝線311の重心位置と、予め設定されている走査線の合焦位置との差を算出する。ステップＳ１４では、確定した差に基づく移動量と移動方向により、オートフォーカスモータ332を駆動する。ステップＳ１５では、再度、眼底観察像を１フレーム分だけ取り込み、観察像にて認識されるスプリット輝線311,311が２つ有るか否かを判断する。
【０１３９】
そして、ステップＳ１５に至った時点において、スプリット輝線311,311が２つ存在すると判断された場合は、ステップＳ６へ進み、２つのスプリット輝線311,311に基づくオートフォーカス動作を改めて実行する。これは、１つのみの合焦では、誤差が大きいためであり、ステップＳ１５にてスプリット輝線311,311が２つ存在しないかどうかを再度確認し、２つ存在が確認された場合は、合焦誤差を小さく抑える手法（ステップＳ６〜ステップＳ８）を実行する。
【０１４０】
なお、ステップＳ１５において、スプリット輝線311,311が、やはり１つしか存在しないと判断されると、ステップＳ１１へ進み、合焦が完了したとの判断に基づき、次の小瞳孔切換え動作やオートシュート動作を開始する。
【０１４１】
［２つのスプリット輝線認識時におけるオートシュート作用］
図１４は、実施例１の無散瞳眼底カメラにてオートON/OFFスイッチをONにしての自動眼底撮影時におけるアライメント輝点状態の分類図であり、(a)は()スケール内に輝点がない状態を示し、(b)は()スケール内に１つの輝点のみがある状態を示し、(c)は()スケール内に２つの離れた輝点がある状態を示し、(d)は()スケール内に２つの合致していない輝点がある状態を示し、(e)は()スケール内に２つの合致した輝点がある状態を示す。図１５は、実施例１の無散瞳眼底カメラにてオートON/OFFスイッチをONにしての自動眼底撮影時におけるオートアライメント動作でのアライメント輝点の検出領域の設定作用説明図である。図１６は、実施例１の無散瞳眼底カメラにてオートON/OFFスイッチをONにしての自動眼底撮影時におけるオートアライメント動作でのアライメント輝点の重心位置検出作用の説明図である。以下、上記オートフォーカス動作に引き続き実行される２つのスプリット輝線認識時におけるオートシュート動作手順を説明する。
【０１４２】
まず、オートシュート動作とは、モータ駆動制御によるオートフォーカス動作に続き、オートアライメント動作を行い、合焦条件とアライメント整合条件の成立を確認すると、自動的にフラッシュを発光させて眼底撮影を行う動作をいう。
【０１４３】
オートフォーカス動作により図６のステップＳ１１にて合焦完了であると判定され、かつ、２つのスプリット輝線311,311が認識されている時には、図７のフローチャートにおいて、ステップＳ１６→ステップＳ１７→ステップＳ２５→ステップＳ２６→ステップＳ２７へと進む。ステップＳ１６では、２つのアライメント輝点310,310の重心位置を検出する。ステップＳ１７では、スプリット輝線311,311が１つ以下か否かが判断される。ステップＳ２５では、ステップＳ１７でのスプリット輝線311,311が２つとの判断にしたがって、２つのアライメント輝点310,310の重心位置の差を算出し、アライメントモータ330によるモータ移動量を確定する。ステップＳ２６では、確定したモータ移動量とモータ移動方向にてアライメントモータ330を駆動する。ステップＳ２７では、２つのアライメント輝点310,310が()スケール309内にて合致しているか否かを判断する。
【０１４４】
ここで、ステップＳ１６でのアライメント輝点310,310の重心位置検出について説明する。まず、アライメント輝点310,310の位置は、図１４に示すように、()スケール309内に輝点がない状態（図１４(a)）、()スケール309内に１つの輝点のみがある状態（図１４(b)）、()スケール309内に２つの離れた輝点がある状態（図１４(c)）、()スケール309内に２つの合致していない輝点がある状態（図１４(d)）、()スケール309内に２つの合致した輝点がある状態（図１４(e)）、に分類される。
【０１４５】
そして、アライメント輝点310,310の検出領域は、図１５に示すように、()スケール309内のアライメント輝点310,310を検出するための領域Ａ（横幅ａと縦幅ｃで囲まれる領域）と、()スケール309内にアライメント輝点310,310を検出した場合、()スケール309外にもアライメント輝点310があるか検出するための領域Ｂ（横幅ｂと縦幅ｃで囲まれる領域）に分かれる。なお、領域Ｂは、領域Ａ内にアライメント輝点310,310が検出されたとき以外は使用しない。
【０１４６】
アライメント輝点310,310の検出方法は、図１６に示すように、領域Ａを３本の横線により縦方向に４分割する。分割した領域毎に、縦方向に画素値を積算すると、４本の波形が得られる。得られた波形に対して、設定された閾値以上になる部分の幅を求める。４本の波形に対して得られた幅で、最も長いものをアライメント輝点310の幅とする。算出された幅に対して範囲を設け、その幅が範囲以内にあれば、その分割領域をアライメント輝点310の位置とする。最大の幅が算出された分割領域の部分のみ、図１５に示す領域Ｂに拡張して、同様にアライメント輝点310の検出を行う。領域Ｂでアライメント輝点310が検出されなければ、()スケール309内にアライメント輝点310が一つとなり、２つのアライメント輝点310,310が合致しているとみなす。
【０１４７】
ステップＳ２５においては、２つのアライメント輝点310,310の()スケール309に対する位置関係により、モータ移動量と共にモータ移動方向（上下・左右・前後）も確定しておく。そして、ステップＳ２６では、ステップＳ２５で確定したモータ移動量とモータ移動方向にてアライメントモータ330を駆動する。そして、ステップＳ２７にて、２つのアライメント輝点310,310が()スケール309内にて合致していないと判断された場合は、図７のフローチャートにおいて、ステップＳ１６→ステップＳ１７→ステップＳ２５→ステップＳ２６→ステップＳ２７へと進む流れを繰り返す。
【０１４８】
そして、ステップＳ２７にて２つのアライメント輝点310,310が()スケール309内にて合致していると判断された場合には、ステップＳ２８へ進み、スプリット輝線311,311の状況の最終確認を終了したか否かを判断する。このステップＳ２８にてスプリット輝線311,311の最終確認が未終了（２つの輝線位置が合焦範囲外）と判断された場合には、ステップＳ３へ戻り、再度、オートフォーカス動作を実行する。
【０１４９】
一方、ステップＳ２８にてスプリット輝線311,311の最終確認が終了（２つの輝線位置が合焦範囲内）と判断された場合には、ステップＳ２９へ進み、ステップＳ２９では、自動的にキセノンランプ１７ａを発光させながらシャッターを切り、オートシュート機能による眼底撮影動作を行い、スタートへ戻る。
【０１５０】
すなわち、オートシュート機能は、２つのアライメント輝点310,310の合致を検出した後、オートフォーカスが終了し、瞬きがない状態であれば、撮影スイッチ２ｃを押さなくても、自動的にキセノンランプ１７ａを発光させながらシャッターを切り、眼底撮影を行う動作により達成される。
【０１５１】
なお、オートシュート動作は、
1)フォーカス状態
オートフォーカスにて精度が±0.5Ｄ以内
2)アライメント状態
被検眼上ＸＹ方向が0.5mm以内で、被検眼上Ｚ方向が0.3mm以内
上記1),2)を満たすことを実行条件とする。
【０１５２】
［小瞳孔判定時におけるオートシュート作用］
図１７は、実施例１の無散瞳眼底カメラにて観察モニタ３ｂに２つのスプリット輝線が映し出される状態の説明図であり、(a)は被検眼Ｅの瞳孔径が4mm以上でアライメント輝点が合致している場合のモニタ観察像を示し、(b)は被検眼Ｅの瞳孔径が4mm以上でアライメント輝点が合致している場合の瞳孔への入射光を示す。図１８は、実施例１の無散瞳眼底カメラにて観察モニタ３ｂに１つだけスプリット輝線が映し出される状態の説明図であり、(a)は被検眼Ｅの瞳孔径が4mm以内でアライメント輝点が合致している場合のモニタ観察像を示し、(b)はアライメント輝点が合致していない場合の瞳孔への入射光を示す。図１９は、実施例１の無散瞳眼底カメラにて小瞳孔判定時における小瞳孔絞り（水晶体絞り）と電気的なマスクの挿入作用を説明するための眼底像を示す図である。
【０１５３】
まず、オート小瞳孔切換え機能とは、被検眼Ｅが小瞳孔の場合であっても自動的にフラッシュを発光させて眼底撮影を行うオートシュート動作を達成するため、小瞳孔判定時に自動的に小瞳孔絞りを入れる機能をいう。
【０１５４】
例えば、被検眼Ｅが小瞳孔であって、観察モニタ３ｂに１つだけしかスプリット輝線311が映し出されない場合には、図７のフローチャートにおいて、ステップＳ１７からステップＳ１８→ステップＳ１９→ステップＳ２０へと進む。ステップＳ１８では、観察像にて認識されるスプリット輝線311,311が１つ、あるいは、ゼロのいずれかであるかが判断される。ステップＳ１９では、ステップＳ１８でのスプリット輝線311,311が１つであるとの判断に続き、２つのアライメント輝点310,310が規定の位置、つまり、()スケール309の内側に存在するか否かを判断する。ステップＳ２０では、ステップＳ１９での２つのアライメント輝点310,310が規定位置内であるとの判断に続き、小瞳孔絞り（水晶体絞り）を挿入する。
【０１５５】
すなわち、被検眼Ｅの瞳孔径が4mm以上でアライメント輝点310,310が合致している場合には、図１７(b)に示すように、被検眼Ｅの瞳孔を経過してアライメント輝点310,310を形成する２つの光が入射される。このため、図１７(a)に示すように、観察モニタ３ｂに２つのスプリット輝線311,311が映し出される。
【０１５６】
これに対し、２つのアライメント輝点310,310が合致しているが、被検眼Ｅの瞳孔径が4mm以内の小瞳孔の場合には、被検眼Ｅの瞳孔を経過してアライメント輝点310,310を形成する２つの光の同時入射を行えないため、図１８(a)に示すように、観察モニタ３ｂに１つだけスプリット輝線311が映し出される。また、被検眼Ｅの瞳孔径にかかわらず、アライメント輝点310,310が合致していない場合には、図１８(b)に示すように、被検眼Ｅの瞳孔を経過してアライメント輝点310を形成する１つの光のみが入射されるため、図１８(a)に示すように、観察モニタ３ｂに１つだけスプリット輝線311が映し出される。
【０１５７】
したがって、観察モニタ３ｂに１つだけしかスプリット輝線311が映し出されないスプリット輝線条件と、２つのアライメント輝点310,310が合致しているアライメント輝点合致条件が共に成立した場合には、被検眼Ｅの瞳孔径が4mm以内の小瞳孔であると判定することができる。
【０１５８】
このように、小瞳孔であると判定された場合には、瞳孔径が4mm以上であることを基準として決めた光量であると、眼底への入射光が強すぎ、フレアー等を生じて鮮明な眼底像の撮影ができない。このため、眼底へ到達する光量を抑えるように絞った小瞳孔絞り（水晶体絞り）を自動的に挿入することで、鮮明な眼底像の撮影ができるようにする。
【０１５９】
例えば、高倍時（画角30°）に水晶体絞りを切り換えることで、φ3.3mmの瞳径まで撮影できるようにする。そして、高倍時には、水晶体絞りを切り換えると共に、フレアー対策として、図１９に示すように、太実線リングで示す範囲に高倍時の電気的マスクを入れる。なお、図１９には、高倍時の電気的マスクと共に、長方形による高倍時の撮影範囲と、画角45°時の細線リングで示す範囲の電気的マスクを併せて示す。
【０１６０】
そして、ステップＳ２０にて小瞳孔絞りを挿入した後は、ステップＳ２５→ステップＳ２６→ステップＳ２７へと進み、被検眼Ｅが小瞳孔であっても、撮影スイッチ２ｃを押さなくても、自動的にキセノンランプ１７ａを発光させながらシャッターを切り、眼底撮影を行うオートシュート機能が達成される。
【０１６１】
［スプリット輝線誘導作用］
例えば、被検眼Ｅが小瞳孔であって、観察モニタ３ｂに全くスプリット輝線が映し出されない場合には、少なくとも１つのスプリット輝線311を用いて行われるオートフォーカス動作を実行することができず、オートシュート機能が発揮されない。
【０１６２】
したがって、被検眼Ｅが小瞳孔であって、観察モニタ３ｂに全くスプリット輝線が映し出されない場合には、図７のフローチャートにおいて、ステップＳ１７からステップＳ１８→ステップＳ２１へと進む。ステップＳ２１では、ステップＳ１８でのスプリット輝線311,311がゼロであるとの判断に続き、ステップＳ２０と同様に、小瞳孔絞り（水晶体絞り）を挿入する。つまり、観察モニタ３ｂに全くスプリット輝線が映し出されない場合には、被検眼Ｅの瞳孔径が4mm以内の小瞳孔であると推定することができるため、小瞳孔判定時と同様に、小瞳孔絞り（水晶体絞り）を挿入する。
【０１６３】
次のステップＳ２２では、撮影眼は右眼であるか左眼であるかが判断され、左眼であると判断された場合にはステップＳ２３へ進み、左眼でスプリット輝線311,311が１つでも入るように検者に対してアライメントを変更する誘導指示を表示し、ステップＳ３へ進む。ここで、誘導指示の表示は、()スケール309を被検者の左眼上で0.5mm相当分ずらすことにより行う。
【０１６４】
また、右眼であると判断された場合にはステップＳ２４へ進み、右眼でスプリット輝線311,311が１つでも入るように検者に対してアライメントを変更する誘導指示を表示し、ステップＳ３へ進む。ここで、誘導指示の表示は、()スケール309を被検者の右眼上で0.5mm相当分ずらすことにより行う。
【０１６５】
したがって、被検眼Ｅが小瞳孔であって、観察モニタ３ｂに全くスプリット輝線が映し出されない場合であっても、スプリット輝線誘導動作により、少なくとも１つのスプリット輝線311が観察モニタ３ｂに映し出されるように検者に対しアライメントを変更する誘導指示が行われる。このため、オート撮影モードにより眼底撮影を行う場合、()スケール309のズレを見た検者が、被検者に対するアライメントが正規位置となるように修正変更することで、少なくとも１つのスプリット輝線311が観察モニタ３ｂに映し出されるようになり、１つまたは２つのスプリット輝線311,311を用いて行われるオートフォーカス動作の実行が確保され、検者が意図するオートシュート機能を発揮することができる。
【０１６６】
［ＡＦ機能とＡＳＰ機能とＡＳＨ機能のマニュアル選択作用］
ＡＦ機能（オートフォーカス機能）とＡＳＰ機能（オート小瞳孔切換え機能）とＡＳＨ機能（オートシュート機能）のマニュアル選択操作は、図９に示すように、メニュー操作により観察モニタ３ｂにAuto/Manualの選択画面を表示し、このAuto/Manualの選択画面を用いて行われる。
【０１６７】
すなわち、各機能について標準設定である「Auto」の表示部選択状態から「Manual」の表示部選択状態へと切り替える場合は、図９に示すように、検者が、スイッチ209（上方向）、スイッチ213（下方向）、スイッチ210（左方向）、スイッチ212（右方向）を用いて動かす。そして、各機能について、検者が要望する「Auto」または「Manual」を選択し、スイッチ211を「ENTER」スイッチとしてこれを押すと、表示された内容でのマニュアル選択操作を行うことができる。
【０１６８】
例えば、合焦動作を検者がマニュアル操作により行いたい場合は、ＡＦ機能について、「Auto」から「Manual」へと表示部を切り替え選択すると、図８のフローチャートにおいて、ステップＳ３０→ステップＳ３１→ステップＳ３４へと進み、ステップＳ３４では、ＡＦ機能が無効にされると共に、「ＡＦ無効」のモニタ表示が行われる。
【０１６９】
したがって、例えば、合焦操作に慣れた熟練した検者は、合焦ノブ３ａを用いてピント合わせの合焦操作行う。そして、他のＡＳＰ機能（オート小瞳孔切換え機能）とＡＳＨ機能（オートシュート機能）を使いながら、自動フラッシュ撮影動作を行うことができる。
【０１７０】
例えば、小瞳孔切換え動作を検者がマニュアル操作により行いたい場合は、ＡＳＰ機能について、「Auto」から「Manual」へと表示部を切り替え選択すると、図８のフローチャートにおいて、ステップＳ３０→ステップＳ３１→ステップＳ３２→ステップＳ３５へと進み、ステップＳ３５では、ＡＳＰ機能が無効にされると共に、「ＡＳＰ無効」と「小瞳孔絞り」のモニタ表示が行われる。
【０１７１】
したがって、例えば、通常絞り／小瞳孔絞りを常時選択したいような検者は、小瞳孔スイッチ209を用い、１回スイッチを押して小瞳孔を挿入したり、２回スイッチを押して通常絞りを挿入したりする操作を行う。そして、他のＡＦ機能（オートフォーカス機能）とＡＳＨ機能（オートシュート機能）を使いながら、自動フラッシュ撮影動作を行うことができる。
【０１７２】
例えば、自動フラッシュ撮影動作を検者がマニュアル操作により行いたい場合は、ＡＳＨ機能について、「Auto」から「Manual」へと表示部を切り替え選択すると、図８のフローチャートにおいて、ステップＳ３０→ステップＳ３１→ステップＳ３２→ステップＳ３３→ステップＳ３６へと進み、ステップＳ３６では、ＡＳＨ機能が無効にされると共に、「ＡＳＨ無効」のモニタ表示が行われる。
【０１７３】
したがって、例えば、熟練者等で自分の撮影タイミングで撮影したい検者は、ＡＦ機能（オートフォーカス機能）とＡＳＰ機能（オート小瞳孔切換え機能）を使いながら、()スケール309内にアライメント輝点310,310を一致させるアライメント操作を行い、撮影スイッチ２ｃを用い、自分の撮影タイミングにてマニュアルフラッシュ撮影を行うことができる。
【０１７４】
このＡＦ機能とＡＳＰ機能とＡＳＨ機能のマニュアル選択作用は、上記のように、３つの機能のうち、１つの機能のみを無効にし、２つの機能を有効にするという選択以外に、３つの全ての機能を有効にすることもできるし、３つの全ての機能を無効にすることもできるし、３つの機能のうち、２つの機能を無効にし、１つの機能のみを有効にするという選択も行うことができる。
【０１７５】
［ＡＦ機能とＡＳＰ機能とＡＳＨ機能の自動選択作用］
ＡＦ機能とＡＳＰ機能とＡＳＨ機能の自動選択とは、各自動動作機能について、予め無効にしておくべき無効条件が成立するか否かを判断し、無効条件が成立すると、検者によるマニュアル操作を待つことなく、無効条件が成立する自動動作機能を自動的に無効とする選択を行うことをいう。以下、ＡＦ機能とＡＳＰ機能とＡＳＨ機能を全て無効にする場合と、ＡＳＰ機能のみを無効にする場合と、ＡＳＨ機能のみを無効にする場合と、に分けて説明する。
【０１７６】
・ＡＦ機能とＡＳＰ機能とＡＳＨ機能を全て無効にする場合
補検眼Ｅの視度が屈曲異常であるという屈曲異常条件が成立する場合、図１０のフローチャートにおいて、ステップＳ４０→ステップＳ４１へと進み、ステップＳ４１では、被検眼Ｅの視度が-13D〜+12Dの範囲を超えているとの判断に基づき、ＡＦ機能とＡＳＰ機能とＡＳＨ機能が無効にされると共に、「Auto無効」のモニタ表示と、視度補正レンズの挿入を促す「視度補正レンズ挿入」のモニタ表示が行われる。
したがって、補検眼Ｅの視度が屈曲異常である場合、検者がモニタ表示にしたがって視度補正レンズを挿入し、手動操作による合焦やアライメント調整を経過し、撮影スイッチ２ｃを押して眼底撮影を行うことで、例えば、前眼部から眼底に切り替えた後、合焦完了とならず時間が経過するような場合に比べ、迅速に眼底撮影を行うことができる。
【０１７７】
観察光学系３０によりスプリット輝線311,311が全く検出されないスプリット無し条件が成立する場合、図１０のフローチャートにおいて、ステップＳ４０→ステップＳ４２→ステップＳ４４へと進み、ステップＳ４４では、ＡＦ機能とＡＳＰ機能とＡＳＨ機能が無効にされると共に、「Auto無効」のモニタ表示と、小瞳孔絞りの挿入を促す「小瞳孔絞り」のモニタ表示が行われる。
したがって、被検眼Ｅが小瞳孔等であることによりスプリット輝線311,311が全く検出されない場合、検者がモニタ表示にしたがって小瞳孔絞りを挿入し、手動操作による合焦や中心から左右に移動した()スケール309に一致させるアライメント調整を経過し、撮影スイッチ２ｃを押して眼底撮影を行う。これにより、例えば、前眼部から眼底に切り替えた後、合焦完了とならず時間が経過するような場合に比べ、迅速に眼底撮影を行うことができる。なお、検出されるスプリット輝線311の数が１本の場合は、ステップＳ４３へ進み、小瞳孔絞りの挿入を促す「小瞳孔絞り」のモニタ表示が行われることで、眼底撮影の迅速化となる。
【０１７８】
スプリット輝線311,311を退避させたスプリット退避条件が成立する場合、図１０のフローチャートにおいて、ステップＳ４０→ステップＳ４２→ステップＳ４５→ステップＳ４６へと進み、ステップＳ４６では、ＡＦ機能とＡＳＰ機能とＡＳＨ機能が無効にされると共に、「Auto無効」のモニタ表示が行われる。
したがって、被検者がスプリット輝線311,311を見ないように、スプリットスイッチ202を押してスプリット輝線311,311を退避させた場合、例えば、スプリット輝線311,311を用いて行われる合焦が完了とならず時間が経過するような場合に比べ、迅速に眼底撮影を行うことができる。なお、このスプリット退避条件が成立する場合、スプリット視標情報を用いないで実行可能なＡＳＨ機能のみに関しては、有効にする設定としても良い。
【０１７９】
内部固視標を消さないで外部固視標を使用する外部固視標使用条件が成立する場合、図１０のフローチャートにおいて、ステップＳ４０→ステップＳ４２→ステップＳ４５→ステップＳ４７→ステップＳ４８→ステップＳ５０へと進み、ステップＳ５０では、ＡＦ機能とＡＳＰ機能とＡＳＨ機能が無効にされると共に、「Auto無効」と「内部→外部固視標」のモニタ表示が行われる。
したがって、内部固視標を消さないで外部固視標を使用する場合、内部固視標を消さない限り、眼底Efが動いてオートフォーカス動作等に支障を与える。よって、このような場合には、標準設定としてＡＦ機能とＡＳＰ機能とＡＳＨ機能を無効にし、内部固視標が消された条件を負荷して、各機能を有効にするように戻すことで、迅速に眼底撮影を行うことができる。
【０１８０】
オートフォーカス機能が正常に動作しないオートフォーカス不能条件が成立する場合、図１０のフローチャートにおいて、ステップＳ４０→ステップＳ４２→ステップＳ４５→ステップＳ４７→ステップＳ５１→ステップＳ５３→ステップＳ５５→ステップＳ５７→ステップＳ５８へと進み、ステップＳ５８では、ＡＦ機能とＡＳＰ機能とＡＳＨ機能が無効にされると共に、「Auto無効」と「AF無効」のモニタ表示が行われる。
したがって、オートフォーカス機能が正常に動作せず、合焦完了の判定までに時間を要する場合には、いち早くマニュアル操作に切り換えることで、迅速に眼底撮影を行うことができる。
【０１８１】
・ＡＳＰ機能のみを無効にする場合
検者が小瞳孔スイッチ209を１回押した場合、図１０のフローチャートにおいて、ステップＳ４０→ステップＳ４２→ステップＳ４５→ステップＳ４７→ステップＳ５１→ステップＳ５２へと進み、ステップＳ５２では、小瞳孔絞りを挿入して撮影したいという検者の意図を優先し、ＡＳＰ機能のみが無効にされると共に、「小瞳孔絞り」のモニタ表示が行われる。
また、検者が小瞳孔スイッチ209を２回押した場合、図１０のフローチャートにおいて、ステップＳ４０→ステップＳ４２→ステップＳ４５→ステップＳ４７→ステップＳ５１→ステップＳ５３→ステップＳ５４へと進み、ステップＳ５４では、通常絞りを挿入して撮影したいという検者の意図を優先し、ＡＳＰ機能のみが無効にされると共に、「小瞳孔絞り無効」のモニタ表示が行われる。
したがって、通常絞り／小瞳孔絞りの切換えを検者が行いたい場合、小瞳孔スイッチ209を、ＡＳＰ機能の有効・無効を選択するスイッチとして用いることができ、ＡＳＰ機能のみを無効にしたい場合、メニュー操作により観察モニタ３ｂにAuto/Manualの選択画面を表示してマニュアル選択操作を行う必要が無くなり、容易な操作性を得ることができる。
【０１８２】
・ＡＳＨ機能のみを無効にする場合
検者がオートON/OFFスイッチ213を奇数回押した場合、図１０のフローチャートにおいて、ステップＳ４０→ステップＳ４２→ステップＳ４５→ステップＳ４７→ステップＳ５１→ステップＳ５３→ステップＳ５５→ステップＳ５６へと進み、ステップＳ５６では、ＡＦ機能とＡＳＰ機能は有効にしたままで、ＡＳＨ機能のみが無効にされると共に、「ASH無効」のモニタ表示が行われる。
一方、検者がオートON/OFFスイッチ213を偶数回押した場合、図１０のフローチャートにおいて、ステップＳ４０→ステップＳ４２→ステップＳ４５→ステップＳ４７→ステップＳ５１→ステップＳ５３→ステップＳ５５→ステップＳ５７→ステップＳ５９へと進み、ステップＳ５９では、ＡＦ機能とＡＳＰ機能とＡＳＨ機能が有効のままとされると共に、「Auto有効」のモニタ表示が行われる。
したがって、熟練者等で、自分のタイミングで撮影したい場合は、オートON/OFFスイッチ213を押すだけで良く、オートON/OFFスイッチ213を、ＡＳＨ機能の有効・無効を選択するスイッチとして用いることができ、ＡＳＨ機能のみを無効にしたい場合、メニュー操作により観察モニタ３ｂにAuto/Manualの選択画面を表示してマニュアル選択操作を行う必要が無くなり、容易な操作性を得ることができる。
【０１８３】
次に、効果を説明する。
実施例１の無散瞳眼底カメラにあっては、下記に列挙する効果を得ることができる。
【０１８４】
(1) 被検眼Ｅの撮影対象部分に合焦するためスプリット輝線311,311を投影するスプリット光学系６０と、被検眼Ｅに対して装置本体３を位置合わせするためアライメント輝点310,310を投影するアライメント系４０と、前記被検眼Ｅの撮影対象像を前記スプリット輝線311,311および前記アライメント輝点310,310と共に表示する観察モニタ３ｂを含む観察光学系３０と、前記被検眼Ｅの撮影対象像を撮影する撮影用CCDカメラ６を含む撮影光学系２０と、を備えた無散瞳眼底カメラにおいて、前記観察光学系３０から得られるスプリット輝線311,311に基づき自動的な合焦を実現するオートフォーカス機能と、前記観察光学系３０から得られるスプリット輝線311,311の状態が小瞳孔と判定された場合に自動的に絞りを挿入するオート小瞳孔切換え機能と、合焦とアライメント位置合わせの最終確認結果が適正範囲内になると自動フラッシュ撮影動作を実行するオートシュート機能と、を有する自動撮影制御手段（図６及び図７）を設け、前記自動撮影制御手段が持つ自動動作機能の全部有効選択モードと、前記自動撮影制御手段が持つ自動動作機能の全部無効選択モードと、前記自動撮影制御手段が持つ自動動作機能のうち、一部の自動動作機能を有効にし、残りの自動動作機能を無効とする一部有効選択モードと、を有する自動動作機能選択手段（図８及び図１０）を設けた。このため、自動撮影モードに含まれる複数の自動動作機能のうち、検者の熟練度等に応じて一部の機能のみを無効とする選択自由度を持たせることで、検者にとっては使い勝手を向上することができ、被検者にとっては観察／撮影負担を軽減することができる。
【０１８５】
(2) 前記自動動作機能選択手段（図８）は、前記自動撮影制御手段（図６及び図７）が持つオートフォーカス機能とオート小瞳孔切換え機能とオートシュート機能のそれぞれの自動動作機能について、有効とするか無効とするかの選択をマニュアル操作にて行う。このため、各自動動作機能のそれぞれについて、検者の熟練度や好み等に応じて有効・無効の選択が行えることにより、特に、検者にとっての使い勝手を著しく向上することができる。
【０１８６】
(3) 前記自動動作機能選択手段（図１０）は、前記自動撮影制御手段（図６及び図７）が持つオートフォーカス機能とオート小瞳孔切換え機能とオートシュート機能のそれぞれの自動動作機能について、予め無効にしておくべき無効条件が成立するか否かを判断し、無効条件が成立する自動動作機能を自動的に無効とする選択を行う。このため、自動動作機能に対する検者による有効・無効の判断負担が解消される。加えて、自動撮影からマニュアル撮影に移行を余儀なくされるような状況となるのが回避され、迅速な撮影ができることで、被検者にとって観察／撮影負担を軽減することができる。
【０１８７】
(4) 前記自動動作機能選択手段（図１０）は、被検眼Ｅの視度が屈折異常である屈折異常条件（ステップＳ４０でYES）、前記観察光学系３０によりスプリット輝線311,311が全く検出されないスプリット無し条件（ステップＳ４２でスプリット輝線なし）、スプリット輝線311,311を退避させたスプリット退避条件（ステップＳ４５でYES）、外部固視標を使用する外部固視標使用条件（ステップＳ４７でYES）、オートフォーカス機能が正常に動作しないオートフォーカス不能条件（ステップＳ５７でYES）、の何れか一つの条件が成立したとき、オートフォーカス機能とオート小瞳孔切換え機能とオートシュート機能を全て無効とする選択を行う。このため、上記のような無効条件の一つが成立するような場合、自動撮影からマニュアル撮影に移行を余儀なくされるような状況となるのを未然に回避することができる。
【０１８８】
(5) スイッチ操作により小瞳孔絞りを挿入する小瞳孔スイッチ209を設け、前記自動動作機能選択手段（図１０）は、前記小瞳孔スイッチ209に対して小瞳孔絞りまたは通常絞りを挿入するスイッチ操作が行われた場合（ステップＳ５１でYES、ステップＳ５３でYES）、小瞳孔スイッチ操作を自動動作機能の選択に優先し、オート小瞳孔切換え機能のみを無効とする選択を行う。このため、例えば、通常絞り／小瞳孔絞りに関しては、常時、検者が選択したいと希望するような場合、小瞳孔スイッチ209を、ＡＳＰ機能の有効・無効を選択するスイッチとして用いることができ、ＡＳＰ機能のみを無効にしたい場合、Auto/Manualの選択画面の表示を伴うマニュアル選択操作を行う必要が無くなり、検者にとって使い勝手の良い操作性を得ることができる。
【０１８９】
(6) スイッチ操作によりオートシュート機能のオン／オフを選択するオートON/OFFスイッチ213を設け、前記自動動作機能選択手段（図１０）は、前記オートON/OFFスイッチ213に対する奇数回のスイッチ操作時（ステップＳ５５でYES）、オートフォーカス機能とオート小瞳孔切換え機能を有効としたままでオートシュート機能のみを無効とする選択を行い、前記オートON/OFFスイッチ213に対する偶数回のスイッチ操作時（ステップＳ５５でNO）、オートフォーカス機能とオート小瞳孔切換え機能とオートシュート機能を有効とする選択を行う。このため、例えば、熟練者等であって、検者が自分のタイミングで撮影を希望するような場合、オートON/OFFスイッチ213を、ＡＳＨ機能の有効・無効を選択するスイッチとして用いることができ、ＡＳＨ機能のみを無効にしたい場合、Auto/Manualの選択画面の表示を伴うマニュアル選択操作を行う必要が無くなり、検者にとって使い勝手の良い操作性を得ることができる。
【０１９０】
以上、本発明の眼科撮影装置を実施例１に基づき説明してきたが、具体的な構成については、この実施例１に限られるものではなく、特許請求の範囲の各請求項に係る発明の要旨を逸脱しない限り、設計の変更や追加等は許容される。
【０１９１】
実施例１では、マニュアル操作による自動動作機能選択手段として、メニュー操作により選択画面を表示して選択操作を行う例を示したが、オートフォーカス機能とオート小瞳孔切換え機能とオートシュート機能のそれぞれについての選択スイッチを設けるような例としても良い。
【０１９２】
実施例１では、自動撮影制御手段として、オートアライメント動作を行う例を示した。しかし、アライメント動作をマニュアル操作により行い、合焦と位置合わせの最終確認結果が適正範囲内になると、自動フラッシュ撮影動作を実行するようなオートフォーカス機能とオート小瞳孔切換え機能とオートシュート機能を有するものであっても良い。
【０１９３】
実施例１では、スプリット視標として方形状の２つのスプリット輝線311,311を用い、２つのスプリット輝線311,311を縦方向に揃えた状態を合焦状態とする例を示した。しかし、スプリット視標としては、方形以外の様々な形状としても良い。さらに、複数のスプリット視標を横方向に揃えた状態を合焦状態とする例であっても良い。
【０１９４】
実施例１では、アライメント視標として円形状の２つのアライメント輝点310,310を用い、２つのアライメント輝点310,310を()スケール309の中心位置に合致させた状態をアライメント調整状態とする例を示した。しかし、アライメント視標としては、円形以外の様々な形状としても良い。さらに、()スケール309以外の形状を持つスケール表示の外周位置に複数のアライメント視標を一致させた状態をアライメント調整状態とする例であっても良い。
【０１９５】
実施例１では、オートフォーカス動作制御を先行し、続いてオートアライメント動作制御を行う例を示した。しかし、オートアライメント動作制御を先行し、続いてオートフォーカス動作制御を行う例としても良い。さらに、オートアライメント動作制御とオートフォーカス動作制御を同時進行による制御にて行うような例であっても良い。
【産業上の利用可能性】
【０１９６】
実施例１では、眼科撮影装置の一例である無散瞳眼底カメラへの適用例を示したが、合焦操作とアライメント調整操作を要する他の眼科撮影装置に対しても適用することができる。要するに、スプリット光学系とアライメント系と観察光学系と撮影光学系を備えた眼科撮影装置であれば適用できる。
【図面の簡単な説明】
【０１９７】
【図１】実施例１の無散瞳眼底カメラ（眼科撮影装置の一例）を示す全体システム図である。
【図２】実施例１の無散瞳眼底カメラにおける架台部に設定された操作パネルを示す平面図である。
【図３】実施例１の無散瞳眼底カメラにおける装置本体に設定された観察モニタへ表示される各表示内容を示すイメージ図である。
【図４】実施例１の無散瞳眼底カメラにおける装置本体３に内蔵された光学系を示す光学配置図である。
【図５】実施例１の無散瞳眼底カメラにおける装置ベース１と架台部２と装置本体３に内蔵された制御系を示す電気ブロック図である。
【図６】実施例１の無散瞳眼底カメラにおけるボードPC316にて実行されるオートフォーカス制御動作の流れを示すフローチャートである。
【図７】実施例１の無散瞳眼底カメラにおけるボードPC316で実行されるオートシュート制御動作の流れ（オート小瞳孔切換え制御動作の流れを含む）を示すフローチャートである。
【図８】実施例１の無散瞳眼底カメラにおけるボードPC316で実行されるＡＦ機能とＡＳＰ機能とＡＳＨ機能のマニュアル操作による選択動作の流れを示すフローチャートである。
【図９】実施例１の無散瞳眼底カメラにおけるＡＦ機能とＡＳＰ機能とＡＳＨ機能の選択操作系を示す図である。
【図１０】実施例１の無散瞳眼底カメラにおけるボードPC316で実行されるＡＦ機能とＡＳＰ機能とＡＳＨ機能の有効・無効を自動的に選択する自動選択動作の流れを示すフローチャートである。
【図１１】実施例１の無散瞳眼底カメラにてオートON/OFFスイッチをOFFにしての手動操作による眼底撮影作用を説明する図で、(a)はモニタ中央に被検眼を映し出したモニタ画面を示し、(b)は合焦操作とアライメント操作を行う前のモニタ画面を示し、(c)は合焦操作とアライメント操作を行った後のモニタ画面を示し、(d)は撮影時の眼底のレビュー像を表示したモニタ画面を示す。
【図１２】実施例１の無散瞳眼底カメラにてオートON/OFFスイッチをONにしての自動眼底撮影時におけるオートフォーカス作用を説明するスプリット輝線図である。
【図１３】実施例１の無散瞳眼底カメラにてオートON/OFFスイッチをONにしての自動眼底撮影時におけるオートフォーカス動作でのスプリット輝線の重心位置検出作用の説明図である。
【図１４】実施例１の無散瞳眼底カメラにてオートON/OFFスイッチをONにしての自動眼底撮影時におけるアライメント輝点状態の分類図であり、(a)は()スケール内に輝点がない状態を示し、(b)は()スケール内に１つの輝点のみがある状態を示し、(c)は()スケール内に２つの離れた輝点がある状態を示し、(d)は()スケール内に２つの合致していない輝点がある状態を示し、(e)は()スケール内に２つの合致した輝点がある状態を示す。
【図１５】実施例１の無散瞳眼底カメラにてオートON/OFFスイッチをONにしての自動眼底撮影時におけるオートアライメント動作でのアライメント輝点の検出領域の設定作用説明図である。
【図１６】実施例１の無散瞳眼底カメラにてオートON/OFFスイッチをONにしての自動眼底撮影時におけるオートアライメント動作でのアライメント輝点の重心位置検出作用の説明図である。
【図１７】実施例１の無散瞳眼底カメラにて観察モニタ３ｂに２つのスプリット輝線が映し出される状態の説明図であり、(a)は被検眼Ｅの瞳孔径が4mm以上でアライメント輝点が合致している場合のモニタ観察像を示し、(b)は被検眼Ｅの瞳孔径が4mm以上でアライメント輝点が合致している場合の瞳孔入射光を示す。
【図１８】実施例１の無散瞳眼底カメラにて観察モニタ３ｂに１つだけスプリット輝線が映し出される状態の説明図であり、(a)は被検眼Ｅの瞳孔径が4mm以内でアライメント輝点が合致している場合のモニタ観察像を示し、(b)はアライメント輝点が合致していない場合の瞳孔入射光を示す。
【図１９】実施例１の無散瞳眼底カメラにて小瞳孔判定時における小瞳孔絞り（水晶体絞り）と電気的なマスクの挿入作用を説明するための眼底像を示す図である。
【符号の説明】
【０１９８】
１  装置ベース
２  架台部
２ａ  操作パネル
２ｂ  ジョイスティック
２ｃ  撮影スイッチ
209  小瞳孔スイッチ
213  オートON/OFFスイッチ
３  装置本体
３ａ  合焦ハンドル
３ｂ  観察モニタ
３１  観察LCDユニット
３７  観察用CCDカメラ
309  ()スケール
310,310  アライメント輝点（アライメント視標）
311,311  スプリット輝線（スプリット視標）
313  小瞳孔絞り
315  本体PCB
316  ボードPC
317  撮影カメラ中継PCB
318  DC電源PCB
319  キャプチャボード
324  アライメントモータ検知センサ
326  オートフォーカスモータ(+)検知センサ
327  オートフォーカスモータ(-)検知センサ
330  アライメントモータ
332  オートフォーカスモータ
333  水晶体絞り駆動ソレノイド
334  前眼部切換え駆動ソレノイド
335  反射棒駆動ソレノイド
４  顎受け
５  外部固視標
６  撮影用CCDカメラ（カメラ）
７  マウス/10キーボード
８  プリンタ
９  パーソナルコンピュータ
９ａ  ＰＣ用モニタ
１０  照明光学系
１７ａ  キセノンランプ
１７ｂ  ハロゲンランプ
２０  撮影光学系
３０  観察光学系
４０  アライメント系
４１  アライメントLED
５０  内部固視系
６０  スプリット光学系
６１  スプリットLED
Ｅ  被検眼
Ef  眼底（撮影対象）
【図１】
0005080998.tif 000002
【図２】
0005080998.tif 000003
【図３】
0005080998.tif 000004
【図４】
0005080998.tif 000005
【図５】
0005080998.tif 000006
【図６】
0005080998.tif 000007
【図７】
0005080998.tif 000008
【図８】
0005080998.tif 000009
【図９】
0005080998.tif 000010
【図１０】
0005080998.tif 000011
【図１１】
0005080998.tif 000012
【図１２】
0005080998.tif 000013
【図１３】
0005080998.tif 000014
【図１４】
0005080998.tif 000015
【図１５】
0005080998.tif 000016
【図１６】
0005080998.tif 000017
【図１７】
0005080998.tif 000018
【図１８】
0005080998.tif 000019
【図１９】
0005080998.tif 000020